(57)【要約】  本発明は、アップリンク制御情報を送信するための方法および装置を提供し、送信する必要のある異なるタイプのＵＣＩがあり、前記異なるタイプのＵＣＩの送信時間領域リソースがオーバーラップする場合に、ＵＣＩを送信するようにする。本発明の実施形態によって提供されるアップリンク制御情報（ＵＣＩ)を送信するための方法は、送信する必要がある第１のＵＣＩおよび第２のＵＣＩを決定するステップと、前記第１のＵＣＩおよび第２のＵＣＩの開始送信タイミングの相対位置に従って、ＵＣＩを送信するステップとを備え、前記第１のＵＣＩの送信時間領域リソースは前記第２のＵＣＩの送信時間領域リソースとオーバーラップする。
2021508987.tif 000002
【特許請求の範囲】
【請求項１】
送信する必要がある第１のＵＣＩおよび第２のＵＣＩを決定するステップと、
前記第１のＵＣＩおよび第２のＵＣＩの開始送信タイミングの相対位置に従って、ＵＣＩを送信するステップと
を備え、
前記第１のＵＣＩの送信時間領域リソースは前記第２のＵＣＩの送信時間領域リソースとオーバーラップすることを特徴とするアップリンク制御情報（ＵＣＩ)を送信するための方法。
【請求項２】
前記第１のＵＣＩは、ハイブリッド自動再送要求（ＨＡＲＱ−ＡＣＫ）フィードバック情報および/またはスケジューリング要求（ＳＲ）情報を含み、前記第２のＵＣＩは、周期チャネル状態情報ＣＳＩまたは半永続的ＣＳＩまたは非周期的ＣＳＩを含み、前記第１のＵＣＩは、第１のチャネルフォーマットまたは第２のチャネルフォーマットで送信されるように構成されることを特徴とする請求項１に記載のアップリンク制御情報（ＵＣＩ)を送信するための方法。
【請求項３】
前記第１のＵＣＩおよび第２のＵＣＩの開始送信タイミングの相対位置に従って、ＵＣＩを送信することは、
前記第１のＵＣＩの開始送信タイミングが前記第２のＵＣＩの開始送信タイミングよりも遅れている場合、
前記第２のＵＣＩを破棄し、または前記ＣＳＩの送信時間領域リソースと前記第１のＵＣＩの送信時間領域リソースの間のオーバーラップした時間領域リソースにおいて、前記ＣＳＩを破棄し、または前記ＣＳＩの送信時間領域リソースと前記第１のＵＣＩの送信時間領域リソースの間のオーバーラップした時間領域リソースから、前記ＣＳＩの送信時間領域リソースの終わりまで、前記ＣＳＩを破棄し、
前記第１のＵＣＩの送信リソース上で前記第１のＵＣＩを送信することを備えることを特徴とする請求項２に記載のアップリンク制御情報（ＵＣＩ)を送信するための方法。
【請求項４】
前記第１のＵＣＩおよび第２のＵＣＩの開始送信タイミングの相対位置に従って、ＵＣＩを送信することは、
前記第１のＵＣＩの開始送信タイミングが前記ＣＳＩの開始送信タイミングよりも早いか等しい場合、前記第１のＵＣＩおよび前記ＣＳＩを同時に送信することを備えることを特徴とする請求項２に記載のアップリンク制御情報（ＵＣＩ)を送信するための方法。
【請求項５】
前記第１のＵＣＩおよび前記ＣＳＩを同時に送信することは、
前記ＣＳＩの送信リソース上で、前記ＣＳＩ用に構成されたチャネルフォーマットで前記第１のＵＣＩおよび前記ＣＳＩを同時に送信することを備えることを特徴とする請求項４に記載のアップリンク制御情報（ＵＣＩ)を送信するための方法。
【請求項６】
前記第１のＵＣＩは、ＨＡＲＱ−ＡＣＫ情報であり、
前記第２のＵＣＩは周期的ＣＳＩおよび/またはＳＲ情報を含み、または前記第２のＵＣＩは半永続的ＣＳＩおよび/またはＳＲ情報を含み、または前記第２のＵＣＩは非周期的ＣＳＩおよび/またはＳＲ情報を含み、
前記ＨＡＲＱ−ＡＣＫ情報は、第３のチャネルフォーマットまたは第４のチャネルフォーマットまたは第５のチャネルフォーマットで送信されるように構成されることを特徴とする請求項１に記載のアップリンク制御情報（ＵＣＩ)を送信するための方法。
【請求項７】
前記第１のＵＣＩおよび第２のＵＣＩの開始送信タイミングの相対位置に従って、ＵＣＩを送信することは、
前記ＨＡＲＱ−ＡＣＫ情報の開始送信タイミングが前記第２のＵＣＩの開始送信タイミングよりも早い場合、
前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソース上で前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソースから、前記第２のＵＣＩの送信時間領域リソースの終わりまで、前記第２のＵＣＩを破棄し、
前記ＨＡＲＱ−ＡＣＫ情報の送信リソース上で前記ＨＡＲＱ−ＡＣＫ情報を送信することを備えることを特徴とする請求項６に記載のアップリンク制御情報（ＵＣＩ)を送信するための方法。
【請求項８】
前記第１のＵＣＩおよび第２のＵＣＩの開始送信タイミングの相対位置に従って、ＵＣＩを送信することは、
前記ＨＡＲＱ−ＡＣＫ情報の開始送信タイミングが前記第２のＵＣＩの開始送信タイミングより遅いか等しい場合、前記ＨＡＲＱ−ＡＣＫ情報と前記第２のＵＣＩを同時に送信することを備えることを特徴とする請求項６に記載のアップリンク制御情報（ＵＣＩ)を送信するための方法。
【請求項９】
前記ＨＡＲＱ−ＡＣＫ情報と前記第２のＵＣＩを同時に送信することは、
前記ＨＡＲＱ−ＡＣＫ情報の送信リソース上で、前記ＨＡＲＱ−ＡＣＫ情報の用に構成されたチャネルフォーマットで、前記ＨＡＲＱ−ＡＣＫ情報と前記第２のＵＣＩを同時に送信することを備えることを特徴とする請求項８に記載のアップリンク制御情報（ＵＣＩ)を送信するための方法。
【請求項１０】
前記ＣＳＩは、第３のチャネルフォーマットまたは第４のチャネルフォーマットまたは第５のチャネルフォーマットで送信されるように構成されることを特徴とする請求項２から請求項９のいずれか一項に記載のアップリンク制御情報（ＵＣＩ)を送信するための方法。
【請求項１１】
前記第１のＵＣＩはＨＡＲＱ−ＡＣＫ情報であり、前記第２のＵＣＩはＳＲ情報であり、前記ＨＡＲＱ−ＡＣＫ情報は、第１のチャネルフォーマットまたは第２のチャネルフォーマットで送信されるように構成され、前記ＳＲ情報は、第２のチャネルフォーマットで送信されるように構成されることを特徴とする請求項１に記載のアップリンク制御情報（ＵＣＩ)を送信するための方法。
【請求項１２】
前記第１のＵＣＩおよび第２のＵＣＩの開始送信タイミングの相対位置に従がって、ＵＣＩを送信することは、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信することを備えることを特徴とする請求項１１に記載のアップリンク制御情報（ＵＣＩ)を送信するための方法。
【請求項１３】
前記第１のＵＣＩおよび第２のＵＣＩの開始送信タイミングの相対位置に従がって、ＵＣＩを送信することは、
前記ＨＡＲＱ−ＡＣＫ情報の開始送信タイミングが前記ＳＲ情報の開始送信タイミングよりも早いか等しい場合、前記ＨＡＲＱ−ＡＣＫ情報と前記ＳＲ情報を同時に送信することを備えることを特徴とする請求項１１に記載のアップリンク制御情報（ＵＣＩ)を送信するための方法。
【請求項１４】
前記ＨＡＲＱ−ＡＣＫ情報と前記ＳＲ情報を同時に送信することは、
前記ＳＲ情報の送信リソース上で、前記ＳＲ情報の用に構成されたチャネルフォーマットで、前記ＨＡＲＱ−ＡＣＫを送信することを備えることを特徴とする請求項１３に記載のアップリンク制御情報（ＵＣＩ)を送信するための方法。
【請求項１５】
前記第１のＵＣＩはＨＡＲＱ−ＡＣＫ情報であり、前記第２のＵＣＩはＳＲ情報であり、
前記ＳＲ情報は、第１のチャネルフォーマットで送信されるように構成され、前記ＨＡＲＱ−ＡＣＫ情報は、第２のチャネルフォーマットで送信されるように構成され、または、前記ＨＡＲＱ−ＡＣＫ情報は、第１のチャネルフォーマットで送信されるように構成されることを特徴とする請求項１に記載のアップリンク制御情報（ＵＣＩ)を送信するための方法。
【請求項１６】
前記第１のＵＣＩおよび第２のＵＣＩの開始送信タイミングの相対位置に従って、ＵＣＩを送信することは、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信することを備えることを特徴とする請求項１５に記載のアップリンク制御情報（ＵＣＩ)を送信するための方法。
【請求項１７】
前記第１のＵＣＩおよび第２のＵＣＩの開始送信タイミングの相対位置に従って、ＵＣＩを送信することは、
前記ＨＡＲＱ−ＡＣＫ情報の開始送信タイミングが前記ＳＲ情報の開始送信タイミングよりも遅いか等しい場合、前記ＨＡＲＱ−ＡＣＫ情報と前記ＳＲ情報を同時に送信することを備えることを特徴とする請求項１５に記載のアップリンク制御情報（ＵＣＩ)を送信するための方法。
【請求項１８】
前記ＨＡＲＱ−ＡＣＫ情報と前記ＳＲ情報を同時に送信することは、
第１の送信リソース上で、前記ＨＡＲＱ−ＡＣＫ情報の用に構成されたチャネルフォーマットで、前記ＨＡＲＱ−ＡＣＫを送信することを備え、
前記第１の送信リソースは、ＳＲ情報が存在するときにＨＡＲＱ−ＡＣＫを送信するように構成され、前記第１の送信リソースは、ＳＲ情報が存在しないときにＨＡＲＱ−ＡＣＫ情報を送信するための送信リソースと異なることを特徴とする請求項１７に記載のアップリンク制御情報（ＵＣＩ)を送信するための方法。
【請求項１９】
前記ＳＲ情報は肯定的な（ｐｏｓｉｔｉｖｅ） ＳＲ情報であることを特徴とする請求項１１から請求項１８のいずれか一項に記載のアップリンク制御情報（ＵＣＩ)を送信するための方法。
【請求項２０】
前記第１のチャネルフォーマットはＰＵＣＣＨ ｆｏｒｍａｔ ０であり、および/または、前記第２のチャネルフォーマットはＰＵＣＣＨ ｆｏｒｍａｔ １であることを特徴とする請求項２から請求項５、請求項１１から請求項１８のいずれか一項に記載のアップリンク制御情報（ＵＣＩ)を送信するための方法。
【請求項２１】
前記第３のチャネルフォーマットはＰＵＣＣＨ ｆｏｒｍａｔ ２であり、
および/または、前記第４のチャネルフォーマットはＰＵＣＣＨ ｆｏｒｍａｔ ３であり、
および/または、前記第５のチャネルフォーマットはＰＵＣＣＨ ｆｏｒｍａｔ ４であることを特徴とする請求項６から請求項１０のいずれか一項に記載のアップリンク制御情報（ＵＣＩ)を送信するための方法。
【請求項２２】
プログラム命令を格納するように構成されたメモリと、
前記メモリに格納されたプログラム命令を呼び出して以下のプロセスを実行するように構成されたプロセッサとを備え、
前記プロセッサは、送信する必要がある第１のＵＣＩおよび第２のＵＣＩを決定し、前記第１のＵＣＩの送信時間領域リソースは前記第２のＵＣＩの送信時間領域リソースとオーバーラップし、
前記第１のＵＣＩおよび第２のＵＣＩの開始送信タイミングの相対位置に従って、ＵＣＩを送信することを特徴とするアップリンク制御情報ＵＣＩを送信するための装置。
【請求項２３】
前記第１のＵＣＩは、ハイブリッド自動再送要求（ＨＡＲＱ−ＡＣＫ）フィードバック情報および/またはスケジューリング要求（ＳＲ）情報を含み、前記第２のＵＣＩは、周期チャネル状態情報ＣＳＩまたは半永続的ＣＳＩまたは非周期的ＣＳＩを含み、前記第１のＵＣＩは、第１のチャネルフォーマットまたは第２のチャネルフォーマットで送信されるように構成されることを特徴とする請求項２２に記載のアップリンク制御情報ＵＣＩを送信するための装置。
【請求項２４】
前記プロセッサは、
前記第１のＵＣＩの開始送信タイミングが前記第２のＵＣＩの開始送信タイミングよりも遅れている場合、
前記第２のＵＣＩを破棄し、または前記ＣＳＩの送信時間領域リソースと前記第１のＵＣＩの送信時間領域リソースの間のオーバーラップした時間領域リソースにおいて、前記ＣＳＩを破棄し、または前記ＣＳＩの送信時間領域リソースと前記第１のＵＣＩの送信時間領域リソースの間のオーバーラップした時間領域リソースから、前記ＣＳＩの送信時間領域リソースの終わりまで、前記ＣＳＩを破棄し、
前記第１のＵＣＩの送信リソース上で前記第１のＵＣＩを送信することを特徴とする請求項２３に記載のアップリンク制御情報ＵＣＩを送信するための装置。
【請求項２５】
前記プロセッサは、前記第１のＵＣＩの開始送信タイミングが前記ＣＳＩの開始送信タイミングよりも早いか等しい場合、前記第１のＵＣＩおよび前記ＣＳＩを同時に送信することを特徴とする請求項２３に記載のアップリンク制御情報ＵＣＩを送信するための装置。
【請求項２６】
前記プロセッサは、前記ＣＳＩの送信リソース上で、前記ＣＳＩ用に構成されたチャネルフォーマットで前記第１のＵＣＩおよび前記ＣＳＩを同時に送信することを特徴とする請求項２５に記載のアップリンク制御情報ＵＣＩを送信するための装置。
【請求項２７】
前記第１のＵＣＩは、ＨＡＲＱ−ＡＣＫ情報であり、
前記第２のＵＣＩは周期的ＣＳＩおよび/またはＳＲ情報を含み、または前記第２のＵＣＩは半永続的ＣＳＩおよび/またはＳＲ情報を含み、または前記第２のＵＣＩは非周期的ＣＳＩおよび/またはＳＲ情報を含み、
前記ＨＡＲＱ−ＡＣＫ情報は、第３のチャネルフォーマットまたは第４のチャネルフォーマットまたは第５のチャネルフォーマットで送信されるように構成されることを特徴とする請求項２２に記載のアップリンク制御情報ＵＣＩを送信するための装置。
【請求項２８】
前記プロセッサは、
前記ＨＡＲＱ−ＡＣＫ情報の開始送信タイミングが前記第２のＵＣＩの開始送信タイミングよりも早い場合、
前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソース上で前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソースから、前記第２のＵＣＩの送信時間領域リソースの終わりまで、前記第２のＵＣＩを破棄し、
前記ＨＡＲＱ−ＡＣＫ情報の送信リソース上で前記ＨＡＲＱ−ＡＣＫ情報を送信することを特徴とする請求項２７に記載のアップリンク制御情報ＵＣＩを送信するための装置。
【請求項２９】
前記プロセッサは、前記ＨＡＲＱ−ＡＣＫ情報の開始送信タイミングが前記第２のＵＣＩの開始送信タイミングより遅いか等しい場合、前記ＨＡＲＱ−ＡＣＫ情報と前記第２のＵＣＩを同時に送信することを特徴とする請求項２８に記載のアップリンク制御情報ＵＣＩを送信するための装置。
【請求項３０】
前記プロセッサは、
前記ＨＡＲＱ−ＡＣＫ情報の送信リソース上で、前記ＨＡＲＱ−ＡＣＫ情報の用に構成されたチャネルフォーマットで、前記ＨＡＲＱ−ＡＣＫ情報と前記第２のＵＣＩを同時に送信することを特徴とする請求項２９に記載のアップリンク制御情報ＵＣＩを送信するための装置。
【請求項３１】
前記ＣＳＩは、第３のチャネルフォーマットまたは第４のチャネルフォーマットまたは第５のチャネルフォーマットで送信されるように構成されることを特徴とする請求項２３から請求項３０のいずれか一項に記載のアップリンク制御情報ＵＣＩを送信するための装置。
【請求項３２】
前記第１のＵＣＩはＨＡＲＱ−ＡＣＫ情報であり、前記第２のＵＣＩはＳＲ情報であり、前記ＨＡＲＱ−ＡＣＫ情報は、第１のチャネルフォーマットまたは第２のチャネルフォーマットで送信されるように構成され、前記ＳＲ情報は、第２のチャネルフォーマットで送信されるように構成されることを特徴とする請求項２２に記載のアップリンク制御情報ＵＣＩを送信するための装置。
【請求項３３】
前記プロセッサは、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信することを特徴とする請求項３１に記載のアップリンク制御情報ＵＣＩを送信するための装置。
【請求項３４】
前記プロセッサは、
前記ＨＡＲＱ−ＡＣＫ情報の開始送信タイミングが前記ＳＲ情報の開始送信タイミングよりも早いか等しい場合、前記ＨＡＲＱ−ＡＣＫ情報と前記ＳＲ情報を同時に送信することを特徴とする請求項３１に記載のアップリンク制御情報ＵＣＩを送信するための装置。
【請求項３５】
前記プロセッサは具体的に、
前記ＳＲ情報の送信リソース上で、前記ＳＲ情報の用に構成されたチャネルフォーマットで、前記ＨＡＲＱ−ＡＣＫを送信することを特徴とする請求項３４に記載のアップリンク制御情報ＵＣＩを送信するための装置。
【請求項３６】
前記第１のＵＣＩはＨＡＲＱ−ＡＣＫ情報であり、前記第２のＵＣＩはＳＲ情報であり、
前記ＳＲ情報は、第１のチャネルフォーマットで送信されるように構成され、前記ＨＡＲＱ−ＡＣＫ情報は、第２のチャネルフォーマットで送信されるように構成され、または、前記ＨＡＲＱ−ＡＣＫ情報は、第１のチャネルフォーマットで送信されるように構成されることを特徴とする請求項２２に記載のアップリンク制御情報ＵＣＩを送信するための装置。
【請求項３７】
前記プロセッサは、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信することを特徴とする請求項３６に記載のアップリンク制御情報ＵＣＩを送信するための装置。
【請求項３８】
前記プロセッサは、
前記ＨＡＲＱ−ＡＣＫ情報の開始送信タイミングが前記ＳＲ情報の開始送信タイミングよりも遅いか等しい場合、前記ＨＡＲＱ−ＡＣＫ情報と前記ＳＲ情報を同時に送信することを特徴とする請求項３６に記載のアップリンク制御情報ＵＣＩを送信するための装置。
【請求項３９】
前記プロセッサは、
第１の送信リソース上で、前記ＨＡＲＱ−ＡＣＫ情報の用に構成されたチャネルフォーマットで、前記ＨＡＲＱ−ＡＣＫを送信し、前記第１の送信リソースは、ＳＲ情報が存在するときにＨＡＲＱ−ＡＣＫを送信するように構成され、前記第１の送信リソースは、ＳＲ情報が存在しないときにＨＡＲＱ−ＡＣＫ情報を送信するための送信リソースと異なることを特徴とする請求項３８に記載のアップリンク制御情報ＵＣＩを送信するための装置。
【請求項４０】
前記ＳＲ情報は肯定的な（ｐｏｓｉｔｉｖｅ） ＳＲ情報であることを特徴とする請求項３２から請求項３９のいずれか一項に記載のアップリンク制御情報ＵＣＩを送信するための装置。
【請求項４１】
前記第１のチャネルフォーマットはＰＵＣＣＨ ｆｏｒｍａｔ ０であり、および/または、前記第２のチャネルフォーマットはＰＵＣＣＨ ｆｏｒｍａｔ １であることを特徴とする請求項２３から請求項２６、請求項３２から請求項３９のいずれか一項に記載のアップリンク制御情報ＵＣＩを送信するための装置。
【請求項４２】
前記第３のチャネルフォーマットはＰＵＣＣＨ ｆｏｒｍａｔ ２であり、
および/または、前記第４のチャネルフォーマットはＰＵＣＣＨ ｆｏｒｍａｔ ３であり、
および/または、前記第５のチャネルフォーマットはＰＵＣＣＨ ｆｏｒｍａｔ ４であることを特徴とする請求項２７から請求項３１のいずれか一項に記載のアップリンク制御情報ＵＣＩを送信するための装置。
【請求項４３】
送信する必要がある第１のＵＣＩおよび第２のＵＣＩを決定し、前記第１のＵＣＩの送信時間領域リソースは前記第２のＵＣＩの送信時間領域リソースとオーバーラップするように構成された第１のユニットと、
前記第１のＵＣＩおよび第２のＵＣＩの開始送信タイミングの相対位置に従って、ＵＣＩを送信するように構成された第２のユニットと
を備えることを特徴とするアップリンク制御情報ＵＣＩを送信するための装置。
【請求項４４】
コンピュータ記憶媒体であって、コンピュータに請求項１から請求項２１のいずれか一項に記載の方法を実行させるように構成されたコンピュータ実行可能命令を記憶する、コンピュータ記憶媒体。
【発明の詳細な説明】
【技術分野】
【０００１】
［関連出願の相互参照］
本出願は、２０１７年１２月２９日に中国特許局に提出し、出願番号が２０１７１１４８０２７３．０であり、発明名称が「アップリンク制御情報を送信するための方法および装置」との中国特許出願を基礎とする優先権を主張し、その開示のすべてをここに取り込む。
【０００２】
［技術分野］
本発明は、通信技術分野に関し、特にアップリンク制御情報を送信するための方法および装置に関する。
【背景技術】
【０００３】
移動通信サービス需要の発展に伴い、国際電気通信連合（Ｉｎｔｅｒｎａｔｉｏｎａｌ Ｔｅｌｅｃｏｍｍｕｎｉｃａｔｉｏｎ Ｕｎｉｏｎ，ＩＴＵ）、第３世代パートナーシッププロジェクト（３ｒｄ Ｇｅｎｅｒａｔｉｏｎ Ｐａｒｔｎｅｒｓｈｉｐ Ｐｒｏｊｅｃｔ，３ＧＰＰ）および他の組織はすべて、新しい無線通信システム、例えば５世代新ＲＡＴ（５Ｇ ＮＲ）（ＲＡＴ：Ｒａｄｉｏ Ａｃｃｅｓｓ Ｔｅｃｈｎｏｌｏｇｙ）を開発し始まる。
【０００４】
現在の５Ｇ ＮＲでは、アップリンク制御情報（Ｕｐｌｉｎｋ Ｃｏｎｔｒｏｌ Ｉｎｆｏｒｍａｔｉｏｎ，ＵＣＩ）は、ハイブリッド自動再送要求（Ｈｙｂｒｉｄ Ａｕｔｏｍａｔｉｃ Ｒｅｐｅａｔ ｒｅＱｕｅｓｔ,ＨＡＲＱ）フィードバック情報（すなわち、ＨＡＲＱ−ＡＣＫ情報）、スケジューリング要求（Ｓｃｈｅｄｕｌｉｎｇ Ｒｅｑｕｅｓｔ，ＳＲ）情報、チャネル状態情報（Ｃｈａｎｎｅｌ Ｓｔａｔｅ Ｉｎｆｏｒｍａｔｉｏｎ，ＣＳＩ）などを含む。
【発明の概要】
【発明が解決しようとする課題】
【０００５】
本発明の実施形態は、送信する必要のある異なるタイプのＵＣＩがあり、前記異なるタイプのＵＣＩの送信時間領域リソースがオーバーラップする場合に、ＵＣＩを送信するように、アップリンク制御情報を送信するための方法および装置を提供する。
【０００６】
本発明の実施形態によるアップリンク制御情報（ＵＣＩ)を送信するための方法は、
送信する必要がある第１のＵＣＩおよび第２のＵＣＩを決定し、前記第１のＵＣＩの送信時間領域リソースは前記第２のＵＣＩの送信時間領域リソースとオーバーラップし、
前記第１のＵＣＩおよび第２のＵＣＩの開始送信タイミングの相対位置に従って、ＵＣＩを送信する。
【０００７】
送信する必要がある第１のＵＣＩおよび第２のＵＣＩを決定し、前記第１のＵＣＩの送信時間領域リソースは前記第２のＵＣＩの送信時間領域リソースとオーバーラップし、前記第１のＵＣＩおよび第２のＵＣＩの開始送信タイミングの相対位置に従って、ＵＣＩを送信することにより、送信する必要のある異なるタイプのＵＣＩが存在するときに、前記異なるタイプのＵＣＩの送信時間領域リソースがオーバーラップする場合に、ＵＣＩ送信を実施し、ネットワーク側は、異なるタイプのＵＣＩをタイムリーに取得できる。
【０００８】
オプションとして、前記第１のＵＣＩは、ハイブリッド自動再送要求（ＨＡＲＱ−ＡＣＫ）フィードバック情報および/またはスケジューリング要求（ＳＲ）情報を含み、前記第２のＵＣＩは、周期チャネル状態情報ＣＳＩまたは半永続的ＣＳＩまたは非周期的ＣＳＩを含み、前記第１のＵＣＩは、第１のチャネルフォーマットまたは第２のチャネルフォーマットで送信されるように構成される。
【０００９】
オプションとして、前記第１のＵＣＩおよび第２のＵＣＩの開始送信タイミングの相対位置に従って、ＵＣＩを送信することは具体的に、
前記第１のＵＣＩの開始送信タイミングが前記第２のＵＣＩの開始送信タイミングよりも遅れている場合、
前記第２のＵＣＩを破棄し、または前記ＣＳＩの送信時間領域リソースと前記第１のＵＣＩの送信時間領域リソースの間のオーバーラップした時間領域リソースにおいて、前記ＣＳＩを破棄し、または前記ＣＳＩの送信時間領域リソースと前記第１のＵＣＩの送信時間領域リソースの間のオーバーラップした時間領域リソースから、前記ＣＳＩの送信時間領域リソースの終わりまで、前記ＣＳＩを破棄し、
前記第１のＵＣＩの送信リソース上で前記第１のＵＣＩを送信する。
【００１０】
オプションとして、前記第１のＵＣＩおよび第２のＵＣＩの開始送信タイミングの相対位置に従って、ＵＣＩを送信することは具体的に、
前記第１のＵＣＩの開始送信タイミングが前記ＣＳＩの開始送信タイミングよりも早いか等しい場合、前記第１のＵＣＩおよび前記ＣＳＩを同時に送信する。
【００１１】
オプションとして、前記第１のＵＣＩおよび前記ＣＳＩを同時に送信することは具体的に、
前記ＣＳＩの送信リソース上で、前記ＣＳＩ用に構成されたチャネルフォーマットで前記第１のＵＣＩおよび前記ＣＳＩを同時に送信する。
【００１２】
オプションとして、前記第１のＵＣＩは、ＨＡＲＱ−ＡＣＫ情報であり、
前記第２のＵＣＩは周期的ＣＳＩおよび/またはＳＲ情報を含み、または前記第２のＵＣＩは半永続的ＣＳＩおよび/またはＳＲ情報を含み、または前記第２のＵＣＩは非周期的ＣＳＩおよび/またはＳＲ情報を含み、
前記ＨＡＲＱ−ＡＣＫ情報は、第３のチャネルフォーマットまたは第４のチャネルフォーマットまたは第５のチャネルフォーマットで送信されるように構成される。
【００１３】
オプションとして、前記第１のＵＣＩおよび第２のＵＣＩの開始送信タイミングの相対位置に従って、ＵＣＩを送信することは具体的に、
前記ＨＡＲＱ−ＡＣＫ情報の開始送信タイミングが前記第２のＵＣＩの開始送信タイミングよりも早い場合、
前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソース上で前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソースから、前記第２のＵＣＩの送信時間領域リソースの終わりまで、前記第２のＵＣＩを破棄し、
前記ＨＡＲＱ−ＡＣＫ情報の送信リソース上で前記ＨＡＲＱ−ＡＣＫ情報を送信する。
【００１４】
オプションとして、前記第１のＵＣＩおよび第２のＵＣＩの開始送信タイミングの相対位置に従って、ＵＣＩを送信することは具体的に、
前記ＨＡＲＱ−ＡＣＫ情報の開始送信タイミングが前記第２のＵＣＩの開始送信タイミングより遅いか等しい場合、前記ＨＡＲＱ−ＡＣＫ情報と前記第２のＵＣＩを同時に送信する。
【００１５】
オプションとして、前記ＨＡＲＱ−ＡＣＫ情報と前記第２のＵＣＩを同時に送信することは具体的に、
前記ＨＡＲＱ−ＡＣＫ情報の送信リソース上で、前記ＨＡＲＱ−ＡＣＫ情報の用に構成されたチャネルフォーマットで、前記ＨＡＲＱ−ＡＣＫ情報と前記第２のＵＣＩを同時に送信する。
【００１６】
オプションとして、前記ＣＳＩは、第３のチャネルフォーマットまたは第４のチャネルフォーマットまたは第５のチャネルフォーマットで送信されるように構成される。
【００１７】
オプションとして、前記第１のＵＣＩはＨＡＲＱ−ＡＣＫ情報であり、前記第２のＵＣＩはＳＲ情報であり、前記ＨＡＲＱ−ＡＣＫ情報は、第１のチャネルフォーマットまたは第２のチャネルフォーマットで送信されるように構成され、前記ＳＲ情報は、第２のチャネルフォーマットで送信されるように構成される。
【００１８】
オプションとして、前記第１のＵＣＩおよび第２のＵＣＩの開始送信タイミングの相対位置に従がって、ＵＣＩを送信することは具体的に、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信する。
【００１９】
オプションとして、前記第１のＵＣＩおよび第２のＵＣＩの開始送信タイミングの相対位置に従がって、ＵＣＩを送信することは具体的に、
前記ＨＡＲＱ−ＡＣＫ情報の開始送信タイミングが前記ＳＲ情報の開始送信タイミングよりも早いか等しい場合、前記ＨＡＲＱ−ＡＣＫ情報と前記ＳＲ情報を同時に送信する。
【００２０】
オプションとして、前記ＨＡＲＱ−ＡＣＫ情報と前記ＳＲ情報を同時に送信することは具体的に、
前記ＳＲ情報の送信リソース上で、前記ＳＲ情報の用に構成されたチャネルフォーマットで、前記ＨＡＲＱ−ＡＣＫを送信する。
【００２１】
オプションとして、前記第１のＵＣＩはＨＡＲＱ−ＡＣＫ情報であり、前記第２のＵＣＩはＳＲ情報であり、
前記ＳＲ情報は、第１のチャネルフォーマットで送信されるように構成され、前記ＨＡＲＱ−ＡＣＫ情報は、第２のチャネルフォーマットで送信されるように構成され、または、前記ＨＡＲＱ−ＡＣＫ情報は、第１のチャネルフォーマットで送信されるように構成される。
【００２２】
オプションとして、前記第１のＵＣＩおよび第２のＵＣＩの開始送信タイミングの相対位置に従って、ＵＣＩを送信することは具体的に、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信する。
【００２３】
オプションとして、前記第１のＵＣＩおよび第２のＵＣＩの開始送信タイミングの相対位置に従って、ＵＣＩを送信することは具体的に、
前記ＨＡＲＱ−ＡＣＫ情報の開始送信タイミングが前記ＳＲ情報の開始送信タイミングよりも遅いか等しい場合、前記ＨＡＲＱ−ＡＣＫ情報と前記ＳＲ情報を同時に送信する。
【００２４】
オプションとして、前記ＨＡＲＱ−ＡＣＫ情報と前記ＳＲ情報を同時に送信することは具体的に、
第１の送信リソース上で、前記ＨＡＲＱ−ＡＣＫ情報の用に構成されたチャネルフォーマットで、前記ＨＡＲＱ−ＡＣＫを送信し、前記第１の送信リソースは、ＳＲ情報が存在するときにＨＡＲＱ−ＡＣＫを送信するように構成され、前記第１の送信リソースは、ＳＲ情報が存在しないときにＨＡＲＱ−ＡＣＫ情報を送信するための送信リソースと異なる。
【００２５】
オプションとして、前記ＳＲ情報は肯定的な（ｐｏｓｉｔｉｖｅ） ＳＲ情報である。
【００２６】
オプションとして、前記第１のチャネルフォーマットはＰＵＣＣＨ ｆｏｒｍａｔ ０であり、および/または、前記第２のチャネルフォーマットはＰＵＣＣＨ ｆｏｒｍａｔ １である。
【００２７】
オプションとして、
前記第３のチャネルフォーマットはＰＵＣＣＨ ｆｏｒｍａｔ ２であり、
および/または、前記第４のチャネルフォーマットはＰＵＣＣＨ ｆｏｒｍａｔ ３であり、
および/または、前記第５のチャネルフォーマットはＰＵＣＣＨ ｆｏｒｍａｔ ４である。
【００２８】
本発明の実施形態によって提供されるアップリンク制御情報ＵＣＩを送信するための装置は、
ログラム命令を格納するように構成されたメモリと、
前記メモリに格納されたプログラム命令を呼び出して以下のプロセスを実行するように構成されたプロセッサとを備え、
前記プロセッサは、送信する必要がある第１のＵＣＩおよび第２のＵＣＩを決定し、前記第１のＵＣＩの送信時間領域リソースは前記第２のＵＣＩの送信時間領域リソースとオーバーラップし、
前記第１のＵＣＩおよび第２のＵＣＩの開始送信タイミングの相対位置に従って、ＵＣＩを送信する。
【００２９】
オプションとして、前記第１のＵＣＩは、ハイブリッド自動再送要求（ＨＡＲＱ−ＡＣＫ）フィードバック情報および/またはスケジューリング要求（ＳＲ）情報を含み、前記第２のＵＣＩは、周期チャネル状態情報ＣＳＩまたは半永続的ＣＳＩまたは非周期的ＣＳＩを含み、前記第１のＵＣＩは、第１のチャネルフォーマットまたは第２のチャネルフォーマットで送信されるように構成される。
【００３０】
オプションとして、前記プロセッサは具体的に、
前記第１のＵＣＩの開始送信タイミングが前記第２のＵＣＩの開始送信タイミングよりも遅れている場合、
前記第２のＵＣＩを破棄し、または前記ＣＳＩの送信時間領域リソースと前記第１のＵＣＩの送信時間領域リソースの間のオーバーラップした時間領域リソースにおいて、前記ＣＳＩを破棄し、または前記ＣＳＩの送信時間領域リソースと前記第１のＵＣＩの送信時間領域リソースの間のオーバーラップした時間領域リソースから、前記ＣＳＩの送信時間領域リソースの終わりまで、前記ＣＳＩを破棄し、
前記第１のＵＣＩの送信リソース上で前記第１のＵＣＩを送信する。
【００３１】
オプションとして、前記プロセッサは具体的に、
前記第１のＵＣＩの開始送信タイミングが前記ＣＳＩの開始送信タイミングよりも早いか等しい場合、前記第１のＵＣＩおよび前記ＣＳＩを同時に送信する。
【００３２】
オプションとして、前記プロセッサは具体的に、
前記ＣＳＩの送信リソース上で、前記ＣＳＩ用に構成されたチャネルフォーマットで前記第１のＵＣＩおよび前記ＣＳＩを同時に送信する。
【００３３】
オプションとして、前記第１のＵＣＩはＨＡＲＱ−ＡＣＫ情報であり、前記第２のＵＣＩは周期的ＣＳＩおよび/またはＳＲ情報を含み、または前記第２のＵＣＩは半永続的ＣＳＩおよび/またはＳＲ情報を含み、または前記第２のＵＣＩは非周期的ＣＳＩおよび/またはＳＲ情報を含み、前記ＨＡＲＱ−ＡＣＫ情報は、第３のチャネルフォーマットまたは第４のチャネルフォーマットまたは第５のチャネルフォーマットで送信されるように構成される。
【００３４】
オプションとして、前記プロセッサは具体的に、
前記ＨＡＲＱ−ＡＣＫ情報の開始送信タイミングが前記第２のＵＣＩの開始送信タイミングよりも早い場合、
前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソース上で前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソースから、前記第２のＵＣＩの送信時間領域リソースの終わりまで、前記第２のＵＣＩを破棄し、
前記ＨＡＲＱ−ＡＣＫ情報の送信リソース上で前記ＨＡＲＱ−ＡＣＫ情報を送信する。
【００３５】
オプションとして、前記プロセッサは具体的に、
前記ＨＡＲＱ−ＡＣＫ情報の開始送信タイミングが前記第２のＵＣＩの開始送信タイミングより遅いか等しい場合、前記ＨＡＲＱ−ＡＣＫ情報と前記第２のＵＣＩを同時に送信する。
【００３６】
オプションとして、前記プロセッサは具体的に、
前記ＨＡＲＱ−ＡＣＫ情報の送信リソース上で、前記ＨＡＲＱ−ＡＣＫ情報の用に構成されたチャネルフォーマットで、前記ＨＡＲＱ−ＡＣＫ情報と前記第２のＵＣＩを同時に送信する。
【００３７】
オプションとして、前記ＣＳＩは、第３のチャネルフォーマットまたは第４のチャネルフォーマットまたは第５のチャネルフォーマットで送信されるように構成される。
【００３８】
オプションとして、前記第１のＵＣＩはＨＡＲＱ−ＡＣＫ情報であり、前記第２のＵＣＩはＳＲ情報であり、前記ＨＡＲＱ−ＡＣＫ情報は、第１のチャネルフォーマットまたは第２のチャネルフォーマットで送信されるように構成され、前記ＳＲ情報は、第２のチャネルフォーマットで送信されるように構成される。
【００３９】
オプションとして、前記プロセッサは具体的に、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信する。
【００４０】
オプションとして、前記プロセッサは具体的に、
前記ＨＡＲＱ−ＡＣＫ情報の開始送信タイミングが前記ＳＲ情報の開始送信タイミングよりも早いか等しい場合、前記ＨＡＲＱ−ＡＣＫ情報と前記ＳＲ情報を同時に送信する。
オプションとして、前記プロセッサは具体的に、
前記ＳＲ情報の送信リソース上で、前記ＳＲ情報の用に構成されたチャネルフォーマットで、前記ＨＡＲＱ−ＡＣＫを送信する。
【００４１】
オプションとして、前記第１のＵＣＩはＨＡＲＱ−ＡＣＫ情報であり、前記第２のＵＣＩはＳＲ情報であり、
前記ＳＲ情報は、第１のチャネルフォーマットで送信されるように構成され、前記ＨＡＲＱ−ＡＣＫ情報は、第２のチャネルフォーマットで送信されるように構成され、または、前記ＨＡＲＱ−ＡＣＫ情報は、第１のチャネルフォーマットで送信されるように構成される。
【００４２】
オプションとして、前記プロセッサは具体的に、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信する。
【００４３】
オプションとして、前記プロセッサは具体的に、
前記ＨＡＲＱ−ＡＣＫ情報の開始送信タイミングが前記ＳＲ情報の開始送信タイミングよりも遅いか等しい場合、前記ＨＡＲＱ−ＡＣＫ情報と前記ＳＲ情報を同時に送信する。
【００４４】
オプションとして、前記プロセッサは具体的に、
第１の送信リソース上で、前記ＨＡＲＱ−ＡＣＫ情報の用に構成されたチャネルフォーマットで、前記ＨＡＲＱ−ＡＣＫを送信し、前記第１の送信リソースは、ＳＲ情報が存在するときにＨＡＲＱ−ＡＣＫを送信するように構成され、前記第１の送信リソースは、ＳＲ情報が存在しないときにＨＡＲＱ−ＡＣＫ情報を送信するための送信リソースと異なる。
【００４５】
オプションとして、前記ＳＲ情報は肯定的な（ｐｏｓｉｔｉｖｅ） ＳＲ情報である。
【００４６】
オプションとして、前記第１のチャネルフォーマットはＰＵＣＣＨ ｆｏｒｍａｔ ０であり、および/または、前記第２のチャネルフォーマットはＰＵＣＣＨ ｆｏｒｍａｔ １である。
【００４７】
オプションとして、
前記第３のチャネルフォーマットはＰＵＣＣＨ ｆｏｒｍａｔ ２であり、
および/または、前記第４のチャネルフォーマットはＰＵＣＣＨ ｆｏｒｍａｔ ３であり、
および/または、前記第５のチャネルフォーマットはＰＵＣＣＨ ｆｏｒｍａｔ ４である。
【００４８】
本発明の実施形態によって提供されるアップリンク制御情報ＵＣＩを送信するための装置は、
【００４９】
送信する必要がある第１のＵＣＩおよび第２のＵＣＩを決定し、前記第１のＵＣＩの送信時間領域リソースは前記第２のＵＣＩの送信時間領域リソースとオーバーラップするように構成された第１のユニットと、
前記第１のＵＣＩおよび第２のＵＣＩの開始送信タイミングの相対位置に従って、ＵＣＩを送信するように構成された第２のユニットとを備える。
【００５０】
本発明の別の実施形態は、コンピュータに上述の方法のいずれか１つを実行させるように構成されたコンピュータ実行可能命令を格納するコンピュータ記憶媒体を提供する。
【００５１】
本発明に係る実施例や従来の技術解決策をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００５２】
【図１】本発明の実施形態によって提供されるＵＣＩを送信するための方法のフロー概略図である。
【図２】本発明の実施形態によって提供されるＵＣＩを送信するための装置の構造概略図である。
【図３】本発明の実施形態によって提供されるＵＣＩを送信するための別の装置の構造概略図である。
【発明を実施するための形態】
【００５３】
本発明の実施形態は、送信する必要のある異なるタイプのＵＣＩがあり、前記異なるタイプのＵＣＩの送信時間領域リソースがオーバーラップする場合に、ＵＣＩを送信するように、アップリンク制御情報を送信するための方法および装置を提供する。
【００５４】
５Ｇ ＮＲでは、ＨＡＲＱ−ＡＣＫは、ＮＲ物理アップリンク制御チャネル（Ｐｈｙｓｉｃａｌ Ｕｐｌｉｎｋ Ｃｏｎｔｒｏｌ ＣＨａｎｎｅｌ，ＰＵＣＣＨ）フォーマット０またはフォーマット１またはフォーマット２またはフォーマット３またはフォーマット４で送信されてもよく、スケジューリング要求（Ｓｃｈｅｄｕｌｉｎｇ Ｒｅｑｕｅｓｔ，ＳＲ）は、 ＮＲ ＰＵＣＣＨフォーマット０またはフォーマット１で送信されてもよく、およびチャネル状態情報（Ｃｈａｎｎｅｌ Ｓｔａｔｅ Ｉｎｆｏｒｍａｔｉｏｎ，ＣＳＩ）は、ＮＲ ＰＵＣＣＨフォーマット２またはフォーマット３またはフォーマット４で送信できる。ＣＳＩには、周期的ＣＳＩ、半永続的（Ｓｅｍｉ−ｐｅｒｓｉｓｔｅｎｔ，ＳＰ） ＣＳＩおよび非周期的ＣＳＩとの３つのタイプのＣＳＩが含まれる。異なるアップリンク制御情報（Ｕｐｌｉｎｋ Ｃｏｎｔｒｏｌ Ｉｎｆｏｒｍａｔｉｏｎ，ＵＣＩ）の送信リソースとＰＵＣＣＨフォーマットは、個別に構成される。異なるＵＣＩのタイミング領域リソースがオーバーラップしているが、開始タイミングが揃っていない場合がある。
【００５５】
ＮＲシステムでは、合計５つのＰＵＣＣＨフォーマット（すなわち、ＮＲ ＰＵＣＣＨフォーマット０、１、２、３、および４）が定義される。ＰＵＣＣＨフォーマット０または１は、１ビットから２ビットの送信用のアップリンク制御情報（Ｕｐｌｉｎｋ Ｃｏｎｔｒｏｌ Ｉｎｆｏｒｍａｔｉｏｎ，ＵＣＩ）を運ぶために使用され得る。ＰＵＣＣＨフォーマット２、３、または４を使用して、２ビットを超えるＵＣＩを伝送できる。ＰＵＣＣＨフォーマット０または２は短いＰＵＣＣＨフォーマットであり、1シンボルから２シンボルを占有して送信に用いられる。ＰＵＣＣＨフォーマット1、３または４は長いＰＵＣＣＨフォーマットであり、４から1４シンボルを占有して送信に用いられる。ＰＵＣＣＨフォーマット０はシーケンスに基づいて送信に用いられ、パイロットはない。ＰＵＣＣＨフォーマット1はデータ変調とスペクトラム拡散に基づいて送信に用いられ、パイロットがあるため、チャネル推定はパイロットに基づいて実行する必要がある。ここで、パイロットシンボルは、ＰＵＣＣＨフォーマット1によって占有されたシンボルの偶数位置にあり、ＵＣＩシンボルは奇数位置にある（ＰＵＣＣＨフォーマット1によって占有されたシンボルの最初のシンボルが参照として０として番号付けされていると想定）。
【００５６】
ＳＲ情報は、ＰＵＣＣＨフォーマット０または１を使用して送信され得る。ＰＵＣＣＨフォーマット０がＳＲ情報のために構成されるとき、ＳＲ情報送信機会（すなわち、送信時間領域リソース）において、高位層シグナリングに従ってＳＲ情報用に事前構成された循環シフト値を使用して基本シーケンスを循環シフトし、構成されたリソースブロック（Ｒｅｓｏｕｒｃｅ Ｂｌｏｃｋ，ＲＢ）で送信するための送信シーケンスを取得する。ＳＲ情報要求（ｎｅｇａｔｉｖｅ ＳＲ情報）がない場合、ＳＲ情報は送信されない。ＰＵＣＣＨフォーマット1がＳＲ情報用に構成されている場合、ＳＲ情報送信機会（つまり、送信時間領域リソース）にｐｏｓｉｔｉｖｅ ＳＲ情報がある場合、ＳＲ情報を表す変調シンボルは、循環シフトおよび時間領域スペクトラム拡散された基本シーケンスで運ばれ、ＵＣＩを送信するためにＰＵＣＣＨフォーマット1のシンボルにマッピングされ、パイロットは送信のために残りのシンボルにマッピングされる。ＳＲ情報がｎｅｇａｔｉｖｅ ＳＲ情報である場合、ＳＲ情報は送信されない。
【００５７】
これら５つのフォーマットのいずれも、ＨＡＲＱ−ＡＣＫ情報のために使用され得る。ＨＡＲＱ−ＡＣＫ情報にＰＵＣＣＨフォーマット０が設定されている場合、異なるＨＡＲＱ−ＡＣＫ情報のフィードバック状態は、異なる循環シフト値で示される。1ビットのＨＡＲＱ−ＡＣＫ情報の場合、２つのフィードバック状態（確認応答{ＡＣＫ}と非確認応答{ＮＡＣＫ}）がある。２つの循環シフト値が必要であり、異なる循環シフト値は異なるＨＡＲＱ−ＡＣＫ情報フィードバック状態に対応する。以下の表1に示すように、Cinitialは事前構成された初期循環シフト値であり、異なるＨＡＲＱ−ＡＣＫ情報フィードバック状態に対応する循環シフト値は、この値と所定のオフセットを加算することで取得できる。２ビットのＨＡＲＱ−ＡＣＫ情報の場合、４つのフィードバック状態{ＡＣＫ、ＡＣＫ}、{ＮＡＣＫ、ＡＣＫ}、{ＡＣＫ、ＮＡＣＫ}、{ＮＡＣＫ、ＮＡＣＫ}がある。以下の表２に示すように、４つの循環シフト値が必要であり、異なる循環シフト値は異なるＨＡＲＱ−ＡＣＫ情報フィードバック状態に対応する。ＨＡＲＱ−ＡＣＫにＰＵＣＣＨフォーマット1が構成されている場合、送信される1ビットＨＡＲＱ−ＡＣＫ情報はＢＰＳＫによって変調されるか、送信される２ビットＨＡＲＱ−ＡＣＫ情報はＱＰＳＫによって変調されて変調シンボルが取得される。次に、当該変調シンボルは、循環シフトと時間領域のスペクトラム拡散された基本シーケンスで運ばれ、ＵＣＩを送信するためのＰＵＣＣＨフォーマット1のシンボルにマッピングされる。パイロットは、送信用の残りのシンボルにマッピングされる。
【００５８】
ＨＡＲＱ−ＡＣＫおよび/またはＣＳＩがＰＵＣＣＨ ｆｏｒｍａｔ ２または３または４を使用するように構成される場合、送信される２ビットを超えるＨＡＲＱ−ＡＣＫ情報および／または周期ＣＳＩは、チャネルコーディングおよびレートマッチングされた後、パイロット用以外のＰＵＣＣＨリソースにマッピングされて送信される。
【００５９】
【表１】
2021508987.tif 000003
【００６０】
【表２】
2021508987.tif 000004
【００６１】
ＮＲシステムでは、異なるＰＵＣＣＨフォーマットは、異なる送信スキームを有する。第１のＵＣＩとＳＲ情報に対して異なるＮＲ ＰＵＣＣＨフォーマットが構成されているか、同じフォーマットが構成されているが送信タイミングが揃っていない（つまり、ＳＲ情報の送信時間領域リソースが第１のＵＣＩの送信時間領域リソースと部分的にオーバーラップしている））場合、第１のＵＣＩおよびＳＲ情報の送信時間領域リソースがオーバーラップする場合、本発明の実施形態は、第１のＵＣＩおよびＳＲ情報を送信するための以下の技術的解決策を提供する。ここで、例えば、第１のＵＣＩは、ＨＡＲＱ−ＡＣＫおよび／または周期ＣＳＩを含み得る。
【００６２】
本願の実施形態において説明される送信時間領域リソースは、送信によって占有されるシンボル、例えば、シングルキャリア周波数分割多元接続（Ｓｉｎｇｌｅ−ｃａｒｒｉｅｒ Ｆｒｅｑｕｅｎｃｙ−Ｄｉｖｉｓｉｏｎ Ｍｕｌｔｉｐｌｅ Ａｃｃｅｓｓ，ＳＣ−ＦＤＭＡ）シンボルまたは離散フーリエ変換−拡散−であることに留意されたい。直交周波数分割多重（Ｄｉｓｃｒｅｔｅ Ｆｏｕｒｉｅｒ Ｔｒａｎｓｆｏｒｍ− Ｓｐｒｅａｄ−Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＤＦＴ−Ｓ−ＯＦＤＭ）シンボル、ＯＦＤＭシンボル、またはサイクリックプレフィックス直交周波数分割多重（Ｃｙｃｌｉｃ ｐｒｅｆｉｘ Ｏｒｔｈｏｇｏｎａｌ Ｆｒｅｑｕｅｎｃｙ Ｄｉｖｉｓｉｏｎ Ｍｕｌｔｉｐlｅｘｉｎｇ，CP-ＯＦＤＭ）シンボルなどである。
【００６３】
本願の実施形態による技術的解決策では、異なるタイプのＵＣＩ（略して異なるＵＣＩと呼ばれることもある）の送信時間領域リソースがオーバーラップする場合（完全にオーバーラップする場合もあれば、部分的にオーバーラップする場合もある。完全にオーバーラップし、送信開始タイミングが揃っている。部分的にオーバーラップしている場合、送信開始タイミングが揃っていません。以下同じである）、送信できるＵＣＩは、少なくとも異なるＵＣＩの送信開始タイミングの相対位置に基づいて決定され、およびＵＣＩ送信が実行される。
【００６４】
４つのケースがそれぞれ列挙され、以下に示されている。
ケース１：第１のＵＣＩがＰＵＣＣＨフォーマット０または１を使用するように構成されているとき、第１のＵＣＩの送信時間領域リソースがＣＳＩの送信時間領域リソースとオーバーラップする場合：
第１のＵＣＩの送信開始タイミングがＣＳＩの送信開始タイミングよりも遅い場合、ＣＳＩは破棄される。または、ＣＳＩは、ＣＳＩの送信時間領域リソースと第１のＵＣＩの送信時間領域リソースの間のオーバーラップした時間領域リソースで破棄される（ＣＳＩは、オーバーラップしている時間領域リソース以外のＣＳＩの送信時間領域リソースのシンボルで送信できる）。またはＣＳＩの送信時間領域リソースと第１のＵＣＩの送信時間領域リソースの間のオーバーラップした時間領域リソースから、ＣＳＩの送信時間領域リの終わりまで、ＣＳＩは破棄され、つまり、ＣＳＩは、オーバーラップした時間領域リソースからＣＳＩの送信時間領域リソースの終わりまでのシンボルで送信されない。すなわち、第１のＵＣＩは、第１のＵＣＩに対応するＰＵＣＣＨリソース上で送信される。
【００６５】
さもなければ、第１のＵＣＩの開始送信タイミングがＣＳＩの開始送信タイミングよりも早いかまたは同じである場合、第１のＵＣＩおよびＣＳＩは同時に送信される。具体的には、第１のＵＣＩとＣＳＩは、ＣＳＩに対応するＰＵＣＣＨフォーマットのリソースで同時に送信される。
ここで、第１のＵＣＩは、ＨＡＲＱ−ＡＣＫおよび／またはＳＲを含む。
ここで、ＣＳＩは、周期的ＣＳＩ、ＳＰ-ＣＳＩおよび非周期的ＣＳＩのうちの少なくとも１つが含まれる。
ここで、ＣＳＩは、ＰＵＣＣＨ ｆｏｒｍａｔ ２またはｆｏｒｍａｔ ３またはｆｏｒｍａｔ ４を使用するように構成される。
ここで、ＳＲは、ＰＵＣＣＨ ｆｏｒｍａｔ ０ またはｆｏｒｍａｔ １を使用するように構成される。
【００６６】
ＨＡＲＱ−ＡＣＫ用に構成されたＰＵＣＣＨフォーマットとＳＲ用に構成されたＰＵＣＣＨフォーマットは、同じであるか、必ずしも同じではない。同じＰＵＣＣＨフォーマットが構成される場合、その時間領域リソースのサイズ（すなわち、送信に対応するシンボルの数）は、同じであるか、必ずしも同じではない。
【００６７】
ケース２：ＨＡＲＱ−ＡＣＫがＰＵＣＣＨフォーマット２またはフォーマット３またはフォーマット４を使用するように構成されている場合、ＨＡＲＱ−ＡＣＫの送信時間領域リソースが第２のＵＣＩの送信時間領域リソースとオーバーラップする場合：
ＨＡＲＱ−ＡＣＫの開始送信時間が第２のＵＣＩの開始送信時間よりも早い場合、第２のＵＣＩは破棄されるか、または第２のＵＣＩは、第２のＵＣＩの送信時間領域リソースとＨＡＲＱ−ＡＣＫの送信時間領域リソースと間のオーバーラップした時間領域リソース（第２のＵＣＩは、オーバーラップした時間領域リソース以外の第２のＵＣＩの送信時間領域で送信できる）で破棄される。または第２のＵＣＩは第２のＵＣＩの送信時間領域リソースとＨＡＲＱ−ＡＣＫの送信時間領域リソースの間のオーバーラップした時間領域リソースから第２のＵＣＩの送信時間領域リソースの終わりまで破棄される。つまり、第２のＵＣＩは、オーバーラップした時間領域リソースから第２のＵＣＩの送信時間領域リソースの終わりまでの送信リソースで送信されない。
【００６８】
すなわち、ＨＡＲＱ−ＡＣＫは、ＨＡＲＱ−ＡＣＫに対応するＰＵＣＣＨリソースで送信される。
【００６９】
そうでない場合、ＨＡＲＱ−ＡＣＫの開始送信時間が第２のＵＣＩの開始送信時間より遅いかまたは同じである場合、ＨＡＲＱ−ＡＣＫおよび第２のＵＣＩは同時に送信される。具体的には、例えば、ＨＡＲＱ−ＡＣＫおよび第２のＵＣＩは、ＨＡＲＱ−ＡＣＫに対応するＰＵＣＣＨフォーマットリソース上で同時に送信される。
【００７０】
第２のＵＣＩは、ＣＳＩおよび／またはＳＲを含む。
ここで、ＣＳＩは、周期的ＣＳＩ、ＳＰ-ＣＳＩおよび非周期的ＣＳＩのうちの少なくとも１つが含まれる。
ここで、ＣＳＩは、ＰＵＣＣＨ ｆｏｒｍａｔ ２またはｆｏｒｍａｔ ３またはｆｏｒｍａｔ ４を使用するように構成される。
ここでＳＲは、ＰＵＣＣＨ ｆｏｒｍａｔ ０ またはｆｏｒｍａｔ １を使用するように構成される。
【００７１】
ＨＡＲＱ−ＡＣＫ用に構成されたＰＵＣＣＨフォーマットと、ＣＳＩ用に構成されたＰＵＣＣＨとは、同じであるか、必ずしも同じではない。同じＰＵＣＣＨフォーマットが構成される場合、その時間領域リソースのサイズ（すなわち、送信に対応するシンボルの数）は、同じであるか、必ずしも同じではない。
【００７２】
ケース３：ＨＡＲＱ−ＡＣＫの送信時間領域リソースがＳＲのリソース送信時間領域とオーバーラップするとき、ＨＡＲＱ−ＡＣＫがＰＵＣＣＨフォーマット０または１を使用するように構成され、ＳＲがＰＵＣＣＨフォーマット１を使用するように構成される場合：
ＨＡＲＱ−ＡＣＫの送信開始タイミングがＳＲの送信開始タイミングよりも遅い場合、ＳＲは破棄されるか、ＨＡＲＱ−ＡＣＫの送信タイミング領域リソースとＳＲの送信タイミング領域リソースの間のオーバーラップした時間領域リソースで（ＳＲは、ＳＲの送信時間領域リソースで、オーバーラップした時間領域リソース以外のリソースで送信できる）ＳＲが破棄される。またはＳＲは、ＳＲおよびＨＡＲＱ−ＡＣＫの送信時間領域リソース間のオーバーラップした時間領域リソースからＳＲの送信時間領域リソースの終わりまで、破棄される。すなわち、ＳＲは、当該オーバーラップした時間領域リソースの最初のシンボルからＳＲ情報の送信時間領域リソースの最後のシンボルまで送信されない。
すなわち、ＨＡＲＱ−ＡＣＫは、ＨＡＲＱ−ＡＣＫに対応するＰＵＣＣＨリソースで送信される。
【００７３】
さもなければ、ＨＡＲＱ−ＡＣＫの送信開始タイミングがＳＲの送信開始タイミングよりも早いか同じ場合、ＨＡＲＱ−ＡＣＫとＳＲは同時に送信される。具体的には、例えば、ＨＡＲＱ−ＡＣＫは、ＳＲに対応するＰＵＣＣＨフォーマットリソース上で送信される。すなわち、ＨＡＲＱ−ＡＣＫはがＳＲの送信時間領域リソース上で送信されることにより、ｐｏｓｉｔｉｖｅ ＳＲ送信が存在することを暗黙的に表す。
【００７４】
ここで、ＳＲはｐｏｓｉｔｉｖｅ ＳＲである。つまり、それがｎｅｇａｔｉｖｅ ＳＲである場合、ＳＲを送信する必要はない。これは、ＳＲの送信時間領域リソースとＨＡＲＱ−ＡＣＫの送信時間領域リソースの間のオーバーラップがないことに相当する。
【００７５】
ケース４：ＨＡＲＱ−ＡＣＫがＰＵＣＣＨフォーマット１を使用するように構成されており、ＳＲがＰＵＣＣＨフォーマット０を使用するように構成されているとき、またはＨＡＲＱ−ＡＣＫがＰＵＣＣＨフォーマット０を使用するように構成されているとき、送信時間がＨＡＲＱ−ＡＣＫの領域リソースは、ＳＲの送信時間領域リソースとオーバーラップする場合：
ＨＡＲＱ−ＡＣＫの開始送信時間がＳＲの開始送信時間よりも早い場合、ＳＲは破棄されるか、またはＳＲの送信時間領域リソースとＨＡＲＱ−ＡＣＫの送信時間領域リソースとの間のオーバーラップした時間領域リソースＳＲはＳＲの送信時間領域リソースで、オーバーラップした時間領域リソース以外のリソースで送信できる）においてＳＲが破棄される。または、ＳＲは、ＳＲの送信時間領域リソースとＨＡＲＱ−ＡＣＫの送信時間領域リソースとの間のオーバーラップした時間領域リソースからＳＲの送信時間領域リソースの終わりまで、破棄される。つまり、ＳＲは、オーバーラップした時間領域の最初のシンボルから送信されないＳＲの送信時間領域リソースの最後のシンボルまでに、送信されｒない。
すなわち、ＨＡＲＱ−ＡＣＫは、ＨＡＲＱ−ＡＣＫに対応するＰＵＣＣＨリソースで送信される。
【００７６】
さもなければ、ＨＡＲＱ−ＡＣＫの送信開始タイミングがＳＲの送信開始タイミングと同じか遅い場合、ＨＡＲＱ−ＡＣＫとＳＲは同時に送信される。具体的には、たとえば、ＨＡＲＱ−ＡＣＫは、ＨＡＲＱ−ＡＣＫに対応する特定のＰＵＣＣＨフォーマットリソース上で送信され、ここで、前記特定のＰＵＣＣＨフォーマットリソースは、ＳＲが存在するときにＨＡＲＱ−ＡＣＫを送信するために使用され、前記特定のＰＵＣＣＨフォーマットリソースは、ＳＲが存在しない場合にＨＡＲＱ−ＡＣＫを送信するために使用されるＰＵＣＣＨフォーマットリソースとは異なる。
【００７７】
ＨＡＲＱ−ＡＣＫがＰＵＣＣＨフォーマット０を使用するように構成されている場合、ＳＲは、ＰＵＣＣＨフォーマット０または１を使用するように構成されている。
【００７８】
ＳＲはｐｏｓｉｔｉｖｅ ＳＲである。つまり、それがｎｅｇａｔｉｖｅ ＳＲである場合、ＳＲを送信する必要はない。これは、ＳＲの送信時間領域リソースとＨＡＲＱ−ＡＣＫの送信時間領域リソースの間のオーバーラップがないことに相当する。
【００７９】
上記の方法は、ユーザ機器と基地局の両方に適用可能である。ユーザ機器は、上記の方法に従って送信する必要があるＵＣＩを決定してＵＣＩを送信し、基地局は、上記の方法に従って送信する必要があるＵＣＩを決定してＵＣＩを受信する。
【００８０】
任意選択で、上記の任意のタイプのＵＣＩについて、このタイプのＵＣＩ用に構成されたＰＵＣＣＨフォーマットが送信に使用される、すなわち、様々なタイプのＵＣＩのＰＵＣＣＨフォーマットが独立して構成される。
【００８１】
任意選択で、上記のケース１およびケース２において、ＰＵＣＣＨフォーマット２または３または４が複数のタイプのＵＣＩを同時に送信するために使用されるとき、ＨＡＲＱ−ＡＣＫおよびＳＲのみが存在する場合、１ビットのＳＲおよびＨＡＲＱ−ＡＣＫはカスケードされ、共同コーディングとレートマッチングの後に対応するＰＵＣＣＨリソースにマッピングされて、送信される。ＣＳＩが存在し、ＣＳＩが第１の部分と第２の部分に分割されていない場合、またはＣＳＩの第１の部分のみが存在する場合：ＨＡＲＱ−ＡＣＫおよび/またはＳＲとＣＳＩのビットの総数が、構成されたコードレートと対応するＰＵＣＣＨリソースサイズに従って決定された送信できるＵＣＩビットの数の最大値を超えた場合。、ＣＳＩのすべてまたは一部は、送信されるＵＣＩビットの総数がＵＣＩビットの最大数を超えなくなるまで破棄される。ＣＳＩが存在し、ＣＳＩが第１部分と第２部分に分割されている場合、ＨＡＲＱ−ＡＣＫおよび/またはＳＲ、および対応するＰＵＣＣＨリソースのうちＣＳＩの第１の部分が占めるリソースは、構成されたコードレートに従って決定される。ＨＡＲＱ−ＡＣＫおよび/またはＳＲとＣＳＩの第１の部分はカスケードされ、共同コーディングとレートマッチングの後にＨＡＲＱ−ＡＣＫおよび/またはＳＲとＣＳＩの第１の部分が占有するリソースにマップされ、祖運針される。およびＣＳＩの第２の部分は、共同コーディングとレートマッチングの後に、対応するＰＵＣＣＨリソースの、ＨＡＲＱ−ＡＣＫおよび/またはＳＲ、および対応するＰＵＣＣＨリソースのうちＣＳＩの第１の部分が占めるリソースを除いて、残りのＰＵＣＣＨリソースにマッピングされて送信される。残りのリソースがないか不十分である場合、ＣＳＩの第２の部分は送信されない。
【００８２】
要約すると、図１を参照すると、本発明の一実施形態によるＵＣＩを送信するための方法は、以下のステップを含む。
Ｓ１０１：送信する必要がある第１のＵＣＩおよび第２のＵＣＩを決定し、前記第１のＵＣＩの送信時間領域リソースは前記第２のＵＣＩの送信時間領域リソースとオーバーラップする。
【００８３】
第１のＵＣＩおよび第２のＵＣＩの両方が複数のタイプのＵＣＩを含み得るが、１つのタイプのＵＣＩに限定されず、これらの複数のタイプの送信時間領域リソースの間でオーバーラップする時間領域リソースもあり得ることに留意されたい。
【００８４】
Ｓ１０２：前記第１のＵＣＩおよび第２のＵＣＩの開始送信タイミングの相対位置に従って、ＵＣＩを送信する。
本発明の実施形態による方法は、ＵＥ側またはネットワーク側、例えば基地局側に適用可能であり得る。ＵＥ側では、ＵＣＩを伝送する方法は、ＵＣＩを送信する方法であり、それに対応して、ネットワーク側では、ＵＣＩを伝送する方法は、ＵＣＩを受信する方法である。
【００８５】
送信する必要がある第１のＵＣＩおよび第２のＵＣＩを決定し、前記第１のＵＣＩの送信時間領域リソースは前記第２のＵＣＩの送信時間領域リソースとオーバーラップし、前記第１のＵＣＩおよび第２のＵＣＩの開始送信タイミングの相対位置に従って、ＵＣＩを送信することにより、送信する必要のある異なるタイプのＵＣＩが存在するときに、前記異なるタイプのＵＣＩの送信時間領域リソースがオーバーラップする場合に、ＵＣＩ送信を実施し、ネットワーク側は、異なるタイプのＵＣＩをタイムリーに取得できる。
【００８６】
オプションとして、前記第１のＵＣＩは、ハイブリッド自動再送要求（ＨＡＲＱ−ＡＣＫ）フィードバック情報および/またはスケジューリング要求（ＳＲ）情報を含み、前記第２のＵＣＩは、周期チャネル状態情報ＣＳＩまたは半永続的ＣＳＩまたは非周期的ＣＳＩを含み、前記第１のＵＣＩは、第１のチャネルフォーマットまたは第２のチャネルフォーマットで送信されるように構成される。
【００８７】
本発明の実施形態による前記ＨＡＲＱ−ＡＣＫ情報、すなわち、ＨＡＲＱのフィードバック情報は、確認（ＡＣＫ）情報または非確認（ＮＡＣＫ）情報である。
【００８８】
オプションとして、前記第１のＵＣＩおよび第２のＵＣＩの開始送信タイミングの相対位置に従って、ＵＣＩを送信することは具体的に、
前記第１のＵＣＩの開始送信タイミングが前記第２のＵＣＩの開始送信タイミングよりも遅れている場合、
前記第２のＵＣＩを破棄し、または前記ＣＳＩの送信時間領域リソースと前記第１のＵＣＩの送信時間領域リソースの間のオーバーラップした時間領域リソースにおいて、前記ＣＳＩを破棄し、または前記ＣＳＩの送信時間領域リソースと前記第１のＵＣＩの送信時間領域リソースの間のオーバーラップした時間領域リソースから、前記ＣＳＩの送信時間領域リソースの終わりまで、前記ＣＳＩを破棄し、
前記第１のＵＣＩの送信リソース上で前記第１のＵＣＩを送信する。
【００８９】
オプションとして、前記第１のＵＣＩおよび第２のＵＣＩの開始送信タイミングの相対位置に従って、ＵＣＩを送信することは具体的に、
前記第１のＵＣＩの開始送信タイミングが前記ＣＳＩの開始送信タイミングよりも早いか等しい場合、前記第１のＵＣＩおよび前記ＣＳＩを同時に送信する。
【００９０】
オプションとして、前記第１のＵＣＩおよび前記ＣＳＩを同時に送信することは具体的に、
前記ＣＳＩの送信リソース上で、前記ＣＳＩ用に構成されたチャネルフォーマットで前記第１のＵＣＩおよび前記ＣＳＩを同時に送信する。
【００９１】
オプションとして、前記第１のＵＣＩはＨＡＲＱ−ＡＣＫ情報であり、前記第２のＵＣＩは周期的ＣＳＩおよび/またはＳＲ情報を含み、または前記第２のＵＣＩは半永続的ＣＳＩおよび/またはＳＲ情報を含み、または前記第２のＵＣＩは非周期的ＣＳＩおよび/またはＳＲ情報を含み、前記ＨＡＲＱ−ＡＣＫ情報は、第３のチャネルフォーマットまたは第４のチャネルフォーマットまたは第５のチャネルフォーマットで送信されるように構成される。
【００９２】
オプションとして、前記第１のＵＣＩおよび第２のＵＣＩの開始送信タイミングの相対位置に従って、ＵＣＩを送信することは具体的に、
前記ＨＡＲＱ−ＡＣＫ情報の開始送信タイミングが前記第２のＵＣＩの開始送信タイミングよりも早い場合、
前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソース上で前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソースから、前記第２のＵＣＩの送信時間領域リソースの終わりまで、前記第２のＵＣＩを破棄し、
前記ＨＡＲＱ−ＡＣＫ情報の送信リソース上で前記ＨＡＲＱ−ＡＣＫ情報を送信する。
【００９３】
オプションとして、前記第１のＵＣＩおよび第２のＵＣＩの開始送信タイミングの相対位置に従って、ＵＣＩを送信することは具体的に、
前記ＨＡＲＱ−ＡＣＫ情報の開始送信タイミングが前記第２のＵＣＩの開始送信タイミングより遅いか等しい場合、前記ＨＡＲＱ−ＡＣＫ情報と前記第２のＵＣＩを同時に送信する。
【００９４】
オプションとして、前記ＨＡＲＱ−ＡＣＫ情報と前記第２のＵＣＩを同時に送信することは具体的に、
前記ＨＡＲＱ−ＡＣＫ情報の送信リソース上で、前記ＨＡＲＱ−ＡＣＫ情報の用に構成されたチャネルフォーマットで、前記ＨＡＲＱ−ＡＣＫ情報と前記第２のＵＣＩを同時に送信する。
【００９５】
オプションとして、前記ＣＳＩは、第３のチャネルフォーマットまたは第４のチャネルフォーマットまたは第５のチャネルフォーマットで送信されるように構成される。
【００９６】
オプションとして、前記第１のＵＣＩはＨＡＲＱ−ＡＣＫ情報であり、前記第２のＵＣＩはＳＲ情報であり、前記ＨＡＲＱ−ＡＣＫ情報は、第１のチャネルフォーマットまたは第２のチャネルフォーマットで送信されるように構成され、前記ＳＲ情報は、第２のチャネルフォーマットで送信されるように構成される。
【００９７】
オプションとして、前記第１のＵＣＩおよび第２のＵＣＩの開始送信タイミングの相対位置に従がって、ＵＣＩを送信することは具体的に、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信する。
【００９８】
オプションとして、前記第１のＵＣＩおよび第２のＵＣＩの開始送信タイミングの相対位置に従がって、ＵＣＩを送信することは具体的に、
前記ＨＡＲＱ−ＡＣＫ情報の開始送信タイミングが前記ＳＲ情報の開始送信タイミングよりも早いか等しい場合、前記ＨＡＲＱ−ＡＣＫ情報と前記ＳＲ情報を同時に送信する。
【００９９】
オプションとして、前記ＨＡＲＱ−ＡＣＫ情報と前記ＳＲ情報を同時に送信することは具体的に、
前記ＳＲ情報の送信リソース上で、前記ＳＲ情報の用に構成されたチャネルフォーマットで、前記ＨＡＲＱ−ＡＣＫを送信する。
【０１００】
オプションとして、前記第１のＵＣＩはＨＡＲＱ−ＡＣＫ情報であり、前記第２のＵＣＩはＳＲ情報であり、
前記ＳＲ情報は、第１のチャネルフォーマットで送信されるように構成され、前記ＨＡＲＱ−ＡＣＫ情報は、第２のチャネルフォーマットで送信されるように構成され、または、前記ＨＡＲＱ−ＡＣＫ情報は、第１のチャネルフォーマットで送信されるように構成される。
【０１０１】
オプションとして、前記第１のＵＣＩおよび第２のＵＣＩの開始送信タイミングの相対位置に従って、ＵＣＩを送信することは具体的に、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信する。
【０１０２】
オプションとして、前記第１のＵＣＩおよび第２のＵＣＩの開始送信タイミングの相対位置に従って、ＵＣＩを送信することは具体的に、
前記ＨＡＲＱ−ＡＣＫ情報の開始送信タイミングが前記ＳＲ情報の開始送信タイミングよりも遅いか等しい場合、前記ＨＡＲＱ−ＡＣＫ情報と前記ＳＲ情報を同時に送信する。
【０１０３】
オプションとして、前記ＨＡＲＱ−ＡＣＫ情報と前記ＳＲ情報を同時に送信することは具体的に、
第１の送信リソース上で、前記ＨＡＲＱ−ＡＣＫ情報の用に構成されたチャネルフォーマットで、前記ＨＡＲＱ−ＡＣＫを送信し、前記第１の送信リソースは、ＳＲ情報が存在するときにＨＡＲＱ−ＡＣＫを送信するように構成され、前記第１の送信リソースは、ＳＲ情報が存在しないときにＨＡＲＱ−ＡＣＫ情報を送信するための送信リソースと異なる。
【０１０４】
オプションとして、前記ＳＲ情報は肯定的な（ｐｏｓｉｔｉｖｅ） ＳＲ情報である。
【０１０５】
オプションとして、前記第１のチャネルフォーマットはＰＵＣＣＨ ｆｏｒｍａｔ ０であり、および/または、前記第２のチャネルフォーマットはＰＵＣＣＨ ｆｏｒｍａｔ １である。
【０１０６】
オプションとして、
前記第３のチャネルフォーマットはＰＵＣＣＨ ｆｏｒｍａｔ ２であり、
および/または、前記第４のチャネルフォーマットはＰＵＣＣＨ ｆｏｒｍａｔ ３であり、
および/または、前記第５のチャネルフォーマットはＰＵＣＣＨ ｆｏｒｍａｔ ４である。
【０１０７】
本発明の実施形態において説明される送信リソースは、例えば、時間領域リソース、周波数領域リソースおよび他のリソースを含み、例えば、循環シフト、ＯＣＣなどのコード領域リソースを含み得る。
【０１０８】
図２を参照すると、本発明の一実施形態による、ＵＣＩを送信するための装置は、
ログラム命令を格納するように構成されたメモリ１１と、
前記メモリに格納されたプログラム命令を呼び出して以下のプロセスを実行するように構成されたプロセッサ１２とを備える。
【０１０９】
前記プロセッサ１２は、送信する必要がある第１のＵＣＩおよび第２のＵＣＩを決定し、前記第１のＵＣＩの送信時間領域リソースは前記第２のＵＣＩの送信時間領域リソースとオーバーラップし、
前記第１のＵＣＩおよび第２のＵＣＩの開始送信タイミングの相対位置に従って、ＵＣＩを送信する。
【０１１０】
オプションとして、前記第１のＵＣＩは、ハイブリッド自動再送要求（ＨＡＲＱ−ＡＣＫ）フィードバック情報および/またはスケジューリング要求（ＳＲ）情報を含み、前記第２のＵＣＩは、周期チャネル状態情報ＣＳＩまたは半永続的ＣＳＩまたは非周期的ＣＳＩを含み、前記第１のＵＣＩは、第１のチャネルフォーマットまたは第２のチャネルフォーマットで送信されるように構成される。
【０１１１】
オプションとして、プロセッサ１２は具体的に、
前記第１のＵＣＩの開始送信タイミングが前記第２のＵＣＩの開始送信タイミングよりも遅れている場合、
前記第２のＵＣＩを破棄し、または前記ＣＳＩの送信時間領域リソースと前記第１のＵＣＩの送信時間領域リソースの間のオーバーラップした時間領域リソースにおいて、前記ＣＳＩを破棄し、または前記ＣＳＩの送信時間領域リソースと前記第１のＵＣＩの送信時間領域リソースの間のオーバーラップした時間領域リソースから、前記ＣＳＩの送信時間領域リソースの終わりまで、前記ＣＳＩを破棄し、
前記第１のＵＣＩの送信リソース上で前記第１のＵＣＩを送信する。
【０１１２】
オプションとして、プロセッサ１２は具体的に、
前記第１のＵＣＩの開始送信タイミングが前記ＣＳＩの開始送信タイミングよりも早いか等しい場合、前記第１のＵＣＩおよび前記ＣＳＩを同時に送信する。
【０１１３】
オプションとして、プロセッサ１２は具体的に、
前記ＣＳＩの送信リソース上で、前記ＣＳＩ用に構成されたチャネルフォーマットで前記第１のＵＣＩおよび前記ＣＳＩを同時に送信する。
【０１１４】
オプションとして、前記第１のＵＣＩはＨＡＲＱ−ＡＣＫ情報であり、前記第２のＵＣＩは周期的ＣＳＩおよび/またはＳＲ情報を含み、または前記第２のＵＣＩは半永続的ＣＳＩおよび/またはＳＲ情報を含み、または前記第２のＵＣＩは非周期的ＣＳＩおよび/またはＳＲ情報を含み、前記ＨＡＲＱ−ＡＣＫ情報は、第３のチャネルフォーマットまたは第４のチャネルフォーマットまたは第５のチャネルフォーマットで送信されるように構成される。
【０１１５】
オプションとして、プロセッサ１２は具体的に、
前記ＨＡＲＱ−ＡＣＫ情報の開始送信タイミングが前記第２のＵＣＩの開始送信タイミングよりも早い場合、
前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソース上で前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソースから、前記第２のＵＣＩの送信時間領域リソースの終わりまで、前記第２のＵＣＩを破棄し、
前記ＨＡＲＱ−ＡＣＫ情報の送信リソース上で前記ＨＡＲＱ−ＡＣＫ情報を送信する。
【０１１６】
オプションとして、プロセッサ１２は具体的に、
前記ＨＡＲＱ−ＡＣＫ情報の開始送信タイミングが前記第２のＵＣＩの開始送信タイミングより遅いか等しい場合、前記ＨＡＲＱ−ＡＣＫ情報と前記第２のＵＣＩを同時に送信する。
【０１１７】
オプションとして、プロセッサ１２は具体的に、
前記ＨＡＲＱ−ＡＣＫ情報の送信リソース上で、前記ＨＡＲＱ−ＡＣＫ情報の用に構成されたチャネルフォーマットで、前記ＨＡＲＱ−ＡＣＫ情報と前記第２のＵＣＩを同時に送信する。
【０１１８】
オプションとして、前記ＣＳＩは、第３のチャネルフォーマットまたは第４のチャネルフォーマットまたは第５のチャネルフォーマットで送信されるように構成される。
【０１１９】
オプションとして、前記第１のＵＣＩはＨＡＲＱ−ＡＣＫ情報であり、前記第２のＵＣＩはＳＲ情報であり、前記ＨＡＲＱ−ＡＣＫ情報は、第１のチャネルフォーマットまたは第２のチャネルフォーマットで送信されるように構成され、前記ＳＲ情報は、第２のチャネルフォーマットで送信されるように構成される。
【０１２０】
オプションとして、プロセッサ１２は具体的に、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信する。
【０１２１】
オプションとして、プロセッサ１２は具体的に、
前記ＨＡＲＱ−ＡＣＫ情報の開始送信タイミングが前記ＳＲ情報の開始送信タイミングよりも早いか等しい場合、前記ＨＡＲＱ−ＡＣＫ情報と前記ＳＲ情報を同時に送信する。
オプションとして、プロセッサ１２は具体的に、
前記ＳＲ情報の送信リソース上で、前記ＳＲ情報の用に構成されたチャネルフォーマットで、前記ＨＡＲＱ−ＡＣＫを送信する。
【０１２２】
オプションとして、前記第１のＵＣＩはＨＡＲＱ−ＡＣＫ情報であり、前記第２のＵＣＩはＳＲ情報であり、
前記ＳＲ情報は、第１のチャネルフォーマットで送信されるように構成され、前記ＨＡＲＱ−ＡＣＫ情報は、第２のチャネルフォーマットで送信されるように構成され、または、前記ＨＡＲＱ−ＡＣＫ情報は、第１のチャネルフォーマットで送信されるように構成される。
【０１２３】
オプションとして、プロセッサ１２は具体的に、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信する。
【０１２４】
オプションとして、プロセッサ１２は具体的に、
前記ＨＡＲＱ−ＡＣＫ情報の開始送信タイミングが前記ＳＲ情報の開始送信タイミングよりも遅いか等しい場合、前記ＨＡＲＱ−ＡＣＫ情報と前記ＳＲ情報を同時に送信する。
【０１２５】
オプションとして、プロセッサ１２は具体的に、
第１の送信リソース上で、前記ＨＡＲＱ−ＡＣＫ情報の用に構成されたチャネルフォーマットで、前記ＨＡＲＱ−ＡＣＫを送信し、前記第１の送信リソースは、ＳＲ情報が存在するときにＨＡＲＱ−ＡＣＫを送信するように構成され、前記第１の送信リソースは、ＳＲ情報が存在しないときにＨＡＲＱ−ＡＣＫ情報を送信するための送信リソースと異なる。
【０１２６】
オプションとして、前記ＳＲ情報は肯定的な（ｐｏｓｉｔｉｖｅ） ＳＲ情報である。
【０１２７】
オプションとして、前記第１のチャネルフォーマットはＰＵＣＣＨ ｆｏｒｍａｔ ０であり、および/または、前記第２のチャネルフォーマットはＰＵＣＣＨ ｆｏｒｍａｔ １である。
【０１２８】
オプションとして、
前記第３のチャネルフォーマットはＰＵＣＣＨ ｆｏｒｍａｔ ２であり、
および/または、前記第４のチャネルフォーマットはＰＵＣＣＨ ｆｏｒｍａｔ ３であり、
および/または、前記第５のチャネルフォーマットはＰＵＣＣＨ ｆｏｒｍａｔ ４である。
【０１２９】
図３示すように、本発明の実施形態によるアップリンク制御情報ＵＣＩを送信するための別の装置は、
送信する必要がある第１のＵＣＩおよび第２のＵＣＩを決定するように構成された第１のユニット２１と、
前記第１のＵＣＩおよび第２のＵＣＩの開始送信タイミングの相対位置に従って、ＵＣＩを送信するように構成された第２のユニット２２とを備え、
前記第１のＵＣＩの送信時間領域リソースは前記第２のＵＣＩの送信時間領域リソースとオーバーラップする。
【０１３０】
オプションとして、前記第１のＵＣＩは、ハイブリッド自動再送要求（ＨＡＲＱ−ＡＣＫ）フィードバック情報および/またはスケジューリング要求（ＳＲ）情報を含み、前記第２のＵＣＩは、周期チャネル状態情報ＣＳＩまたは半永続的ＣＳＩまたは非周期的ＣＳＩを含み、前記第１のＵＣＩは、第１のチャネルフォーマットまたは第２のチャネルフォーマットで送信されるように構成される。
【０１３１】
オプションとして、第２のユニット２２は具体的に、
前記第１のＵＣＩの開始送信タイミングが前記第２のＵＣＩの開始送信タイミングよりも遅れている場合、
前記第２のＵＣＩを破棄し、または前記ＣＳＩの送信時間領域リソースと前記第１のＵＣＩの送信時間領域リソースの間のオーバーラップした時間領域リソースにおいて、前記ＣＳＩを破棄し、または前記ＣＳＩの送信時間領域リソースと前記第１のＵＣＩの送信時間領域リソースの間のオーバーラップした時間領域リソースから、前記ＣＳＩの送信時間領域リソースの終わりまで、前記ＣＳＩを破棄し、
前記第１のＵＣＩの送信リソース上で前記第１のＵＣＩを送信する。
【０１３２】
オプションとして、第２のユニット２２は具体的に、
前記第１のＵＣＩの開始送信タイミングが前記ＣＳＩの開始送信タイミングよりも早いか等しい場合、前記第１のＵＣＩおよび前記ＣＳＩを同時に送信する。
【０１３３】
オプションとして、第２のユニット２２は具体的に、
前記ＣＳＩの送信リソース上で、前記ＣＳＩ用に構成されたチャネルフォーマットで前記第１のＵＣＩおよび前記ＣＳＩを同時に送信する。
【０１３４】
オプションとして、前記第１のＵＣＩは、ＨＡＲＱ−ＡＣＫ情報であり、
前記第２のＵＣＩは周期的ＣＳＩおよび/またはＳＲ情報を含み、または前記第２のＵＣＩは半永続的ＣＳＩおよび/またはＳＲ情報を含み、または前記第２のＵＣＩは非周期的ＣＳＩおよび/またはＳＲ情報を含み、
前記ＨＡＲＱ−ＡＣＫ情報は、第３のチャネルフォーマットまたは第４のチャネルフォーマットまたは第５のチャネルフォーマットで送信されるように構成される。
【０１３５】
オプションとして、第２のユニット２２は具体的に、
前記ＨＡＲＱ−ＡＣＫ情報の開始送信タイミングが前記第２のＵＣＩの開始送信タイミングよりも早い場合、
前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソース上で前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソースから、前記第２のＵＣＩの送信時間領域リソースの終わりまで、前記第２のＵＣＩを破棄し、
前記ＨＡＲＱ−ＡＣＫ情報の送信リソース上で前記ＨＡＲＱ−ＡＣＫ情報を送信する。
【０１３６】
オプションとして、第２のユニット２２は具体的に、
前記ＨＡＲＱ−ＡＣＫ情報の開始送信タイミングが前記第２のＵＣＩの開始送信タイミングより遅いか等しい場合、前記ＨＡＲＱ−ＡＣＫ情報と前記第２のＵＣＩを同時に送信する。
【０１３７】
オプションとして、第２のユニット２２は具体的に、
前記ＨＡＲＱ−ＡＣＫ情報の送信リソース上で、前記ＨＡＲＱ−ＡＣＫ情報の用に構成されたチャネルフォーマットで、前記ＨＡＲＱ−ＡＣＫ情報と前記第２のＵＣＩを同時に送信する。
【０１３８】
オプションとして、前記ＣＳＩは、第３のチャネルフォーマットまたは第４のチャネルフォーマットまたは第５のチャネルフォーマットで送信されるように構成される。
【０１３９】
オプションとして、前記第１のＵＣＩはＨＡＲＱ−ＡＣＫ情報であり、前記第２のＵＣＩはＳＲ情報であり、前記ＨＡＲＱ−ＡＣＫ情報は、第１のチャネルフォーマットまたは第２のチャネルフォーマットで送信されるように構成され、前記ＳＲ情報は、第２のチャネルフォーマットで送信されるように構成される。
【０１４０】
オプションとして、第２のユニット２２は具体的に、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信する。
【０１４１】
オプションとして、第２のユニット２２は具体的に、
前記ＨＡＲＱ−ＡＣＫ情報の開始送信タイミングが前記ＳＲ情報の開始送信タイミングよりも早いか等しい場合、前記ＨＡＲＱ−ＡＣＫ情報と前記ＳＲ情報を同時に送信する。
オプションとして、第２のユニット２２は具体的に、
前記ＳＲ情報の送信リソース上で、前記ＳＲ情報の用に構成されたチャネルフォーマットで、前記ＨＡＲＱ−ＡＣＫを送信する。
【０１４２】
オプションとして、前記第１のＵＣＩはＨＡＲＱ−ＡＣＫ情報であり、前記第２のＵＣＩはＳＲ情報であり、
前記ＳＲ情報は、第１のチャネルフォーマットで送信されるように構成され、前記ＨＡＲＱ−ＡＣＫ情報は、第２のチャネルフォーマットで送信されるように構成され、または、前記ＨＡＲＱ−ＡＣＫ情報は、第１のチャネルフォーマットで送信されるように構成される。
【０１４３】
オプションとして、第２のユニット２２は具体的に、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信する。
【０１４４】
オプションとして、第２のユニット２２は具体的に、
前記ＨＡＲＱ−ＡＣＫ情報の開始送信タイミングが前記ＳＲ情報の開始送信タイミングよりも遅いか等しい場合、前記ＨＡＲＱ−ＡＣＫ情報と前記ＳＲ情報を同時に送信する。
【０１４５】
オプションとして、第２のユニット２２は具体的に、
第１の送信リソース上で、前記ＨＡＲＱ−ＡＣＫ情報の用に構成されたチャネルフォーマットで、前記ＨＡＲＱ−ＡＣＫを送信し、前記第１の送信リソースは、ＳＲ情報が存在するときにＨＡＲＱ−ＡＣＫを送信するように構成され、前記第１の送信リソースは、ＳＲ情報が存在しないときにＨＡＲＱ−ＡＣＫ情報を送信するための送信リソースと異なる。
【０１４６】
オプションとして、前記ＳＲ情報は肯定的な（ｐｏｓｉｔｉｖｅ） ＳＲ情報である。
【０１４７】
オプションとして、前記第１のチャネルフォーマットはＰＵＣＣＨ ｆｏｒｍａｔ ０であり、および/または、前記第２のチャネルフォーマットはＰＵＣＣＨ ｆｏｒｍａｔ １である。
【０１４８】
オプションとして、前記第３のチャネルフォーマットはＰＵＣＣＨ ｆｏｒｍａｔ ２であり、
および/または、前記第４のチャネルフォーマットはＰＵＣＣＨ ｆｏｒｍａｔ ３であり、
および/または、前記第５のチャネルフォーマットはＰＵＣＣＨ ｆｏｒｍａｔ ４である。
【０１４９】
本発明の実施形態によって提供されるＵＣＩを送信するための装置は、端末側デバイス、例えば、ＵＥであってもよく、またはネットワーク側デバイス、例えば、基地局であってもよい。
【０１５０】
本発明の実施形態は、上記の装置によって使用されるコンピュータプログラム命令を格納するためのコンピュータ記憶媒体を提供し、コンピュータ記憶媒体は、説明される本発明の実施形態によって提供される方法のいずれか１つを実行するためのプログラムを含む。
【０１５１】
前記コンピュータ記憶媒体は、磁気メモリ（例えば、フロッピーディスク、ハードディスク、磁気テープ、磁気光学ディスク（ＭＯ）など）、光学メモリ（ＣＤ、ＤＶＤ、ＢＤ、ＨＶＤなど）、半導体メモリ（ＲＯＭ、ＥＰＲＯＭ、ＥＥＰＲＯＭ、不揮発性メモリ（ＮＡＮＤ ＦＬＡＳＨ（登録商標））、ソリッドステートディスク（ＳＳＤ））などを含むがこれらに限定されない、コンピュータにアクセス可能な任意の利用可能な媒体またはデータ記憶装置であり得る。
【０１５２】
本出願の実施形態によって提供される方法は、端末デバイスに適用することができ、ネットワークデバイスにも適用することができる。
【０１５３】
また、本発明に係る実施例において、ＵＥ（Ｕｓｅｒ Ｅｑｕｉｐｍｅｎｔ）は、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【０１５４】
ネットワーク装置は基地局（例えば、接続点）であってもよく、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）、または５Ｇ ＮＲにおける基地局（ｇＮＢ）であってもよいが、本発明をそれに限定しない。
【０１５５】
要約すると、本発明の実施形態では、異なるＵＣＩが異なる開始送信モーメントを有し、送信時間領域リソースがオーバーラップする場合、送信できるＵＣＩは、少なくとも開始送信タイミングの相対位置に従って決定されて送信される。これにより、正しいＵＣＩ送信を実行し、ネットワーク側はＵＣＩをタイムリーに取得できるようになる。
【０１５６】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０１５７】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１５８】
これらのコンピュータプログラム指令は、又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１５９】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１６０】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１６１】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１６２】
１１  メモリ
１２  プロセッサ
２１  第１のユニット
２２  第２のユニット
【図１】
2021508987.tif 000005
【図２】
2021508987.tif 000006
【図３】
2021508987.tif 000007
【手続補正書】
【提出日】令和2年7月1日(2020.7.1)
【手続補正１】
【補正対象書類名】特許請求の範囲
【補正対象項目名】全文
【補正方法】変更
【補正の内容】
【特許請求の範囲】
【請求項１】
送信する必要がある第１のＵＣＩおよび第２のＵＣＩを決定するステップと、
前記第１のＵＣＩおよび第２のＵＣＩの開始送信タイミングの相対位置に従って、ＵＣＩを送信するステップと
を備え、
前記第１のＵＣＩの送信時間領域リソースは前記第２のＵＣＩの送信時間領域リソースとオーバーラップすることを特徴とするアップリンク制御情報（ＵＣＩ)を送信するための方法。
【請求項２】
スキーム１からスキーム４のうちの１つが使用され、
スキーム１：
前記第１のＵＣＩは、ハイブリッド自動再送要求（ＨＡＲＱ−ＡＣＫ）フィードバック情報および/またはスケジューリング要求（ＳＲ）情報を含み、前記第２のＵＣＩは、周期チャネル状態情報ＣＳＩまたは半永続的ＣＳＩまたは非周期的ＣＳＩを含み、前記第１のＵＣＩは、第１のチャネルフォーマットまたは第２のチャネルフォーマットで送信されるように構成され、
スキーム２：
前記第１のＵＣＩは、ＨＡＲＱ−ＡＣＫ情報であり、
前記第２のＵＣＩは周期的ＣＳＩおよび/またはＳＲ情報を含み、または前記第２のＵＣＩは半永続的ＣＳＩおよび/またはＳＲ情報を含み、または前記第２のＵＣＩは非周期的ＣＳＩおよび/またはＳＲ情報を含み、
前記ＨＡＲＱ−ＡＣＫ情報は、第３のチャネルフォーマットまたは第４のチャネルフォーマットまたは第５のチャネルフォーマットで送信されるように構成され、
スキーム３：
前記第１のＵＣＩは、ＨＡＲＱ−ＡＣＫ情報であり、
前記第２のＵＣＩはＳＲ情報であり、
前記ＨＡＲＱ−ＡＣＫ情報は、第１のチャネルフォーマットまたは第２のチャネルフォーマットで送信されるように構成され、
前記ＳＲ情報は、第２のチャネルフォーマットで送信されるように構成され、
スキーム４：
前記第１のＵＣＩは、ＨＡＲＱ−ＡＣＫ情報であり、
前記第２のＵＣＩはＳＲ情報であり、
前記ＳＲ情報は、第１のチャネルフォーマットで送信されるように構成され、
前記ＨＡＲＱ−ＡＣＫ情報は、第１のチャネルフォーマットまたは第２のチャネルフォーマットで送信されるように構成されることを特徴とする請求項１に記載のアップリンク制御情報（ＵＣＩ)を送信するための方法。
【請求項３】
前記スキーム１の場合、
前記第１のＵＣＩおよび第２のＵＣＩの開始送信タイミングの相対位置に従って、ＵＣＩを送信することは、
前記第１のＵＣＩの開始送信タイミングが前記第２のＵＣＩの開始送信タイミングよりも遅れている場合、
前記第２のＵＣＩを破棄し、または前記ＣＳＩの送信時間領域リソースと前記第１のＵＣＩの送信時間領域リソースの間のオーバーラップした時間領域リソースにおいて、前記ＣＳＩを破棄し、または前記ＣＳＩの送信時間領域リソースと前記第１のＵＣＩの送信時間領域リソースの間のオーバーラップした時間領域リソースから、前記ＣＳＩの送信時間領域リソースの終わりまで、前記ＣＳＩを破棄し、
前記第１のＵＣＩの送信リソース上で前記第１のＵＣＩを送信することを備え、
および/または、
前記第１のＵＣＩの開始送信タイミングが前記ＣＳＩの開始送信タイミングよりも早いか等しい場合、前記第１のＵＣＩおよび前記ＣＳＩを同時に送信し、
前記スキーム２の場合、
前記第１のＵＣＩおよび第２のＵＣＩの開始送信タイミングの相対位置に従って、ＵＣＩを送信することは、
前記ＨＡＲＱ−ＡＣＫ情報の開始送信タイミングが前記第２のＵＣＩの開始送信タイミングよりも早い場合、
前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソース上で前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソースから、前記第２のＵＣＩの送信時間領域リソースの終わりまで、前記第２のＵＣＩを破棄し、
前記ＨＡＲＱ−ＡＣＫ情報の送信リソース上で前記ＨＡＲＱ−ＡＣＫ情報を送信することを備え、
および/または、
前記スキーム２の場合、
前記第１のＵＣＩおよび第２のＵＣＩの開始送信タイミングの相対位置に従って、ＵＣＩを送信することは、
前記ＨＡＲＱ−ＡＣＫ情報の開始送信タイミングが前記第２のＵＣＩの開始送信タイミングより遅いか等しい場合、前記ＨＡＲＱ−ＡＣＫ情報と前記第２のＵＣＩを同時に送信することを備え、
および/または、
前記スキーム３の場合、
前記第１のＵＣＩおよび第２のＵＣＩの開始送信タイミングの相対位置に従がって、ＵＣＩを送信することは、
前記ＨＡＲＱ−ＡＣＫ情報の開始送信タイミングが前記ＳＲ情報の開始送信タイミングよりも遅い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信することを備え
および/または、
前記第１のＵＣＩおよび第２のＵＣＩの開始送信タイミングの相対位置に従がって、ＵＣＩを送信することは、
前記ＨＡＲＱ−ＡＣＫ情報の開始送信タイミングが前記ＳＲ情報の開始送信タイミングよりも早いか等しい場合、前記ＨＡＲＱ−ＡＣＫ情報と前記ＳＲ情報を同時に送信することを備え、
前記スキーム４の場合、
前記第１のＵＣＩおよび第２のＵＣＩの開始送信タイミングの相対位置に従って、ＵＣＩを送信することは、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信することを備え
および/または、
前記第１のＵＣＩおよび第２のＵＣＩの開始送信タイミングの相対位置に従って、ＵＣＩを送信することは、
前記ＨＡＲＱ−ＡＣＫ情報の開始送信タイミングが前記ＳＲ情報の開始送信タイミングよりも遅いか等しい場合、前記ＨＡＲＱ−ＡＣＫ情報と前記ＳＲ情報を同時に送信することを備えることを特徴とする請求項２に記載のアップリンク制御情報（ＵＣＩ)を送信するための方法。
【請求項４】
前記スキーム１の場合、
前記第１のＵＣＩおよび前記ＣＳＩを同時に送信することは、
前記ＣＳＩの送信リソース上で、前記ＣＳＩ用に構成されたチャネルフォーマットで前記第１のＵＣＩおよび前記ＣＳＩを同時に送信することを備え、
前記スキーム２の場合、
前記ＨＡＲＱ−ＡＣＫ情報と前記第２のＵＣＩを同時に送信することは、
前記ＨＡＲＱ−ＡＣＫ情報の送信リソース上で、前記ＨＡＲＱ−ＡＣＫ情報の用に構成されたチャネルフォーマットで、前記ＨＡＲＱ−ＡＣＫ情報と前記第２のＵＣＩを同時に送信することを備え、
前記スキーム３の場合、
前記ＨＡＲＱ−ＡＣＫ情報と前記ＳＲ情報を同時に送信することは、
前記ＳＲ情報の送信リソース上で、前記ＳＲ情報の用に構成されたチャネルフォーマットで、前記ＨＡＲＱ−ＡＣＫを送信することを備え
前記スキーム４の場合、
前記ＨＡＲＱ−ＡＣＫ情報と前記ＳＲ情報を同時に送信することは、
第１の送信リソース上で、前記ＨＡＲＱ−ＡＣＫ情報の用に構成されたチャネルフォーマットで、前記ＨＡＲＱ−ＡＣＫを送信することを備え、
前記第１の送信リソースは、ＳＲ情報が存在するときにＨＡＲＱ−ＡＣＫを送信するように構成され、前記第１の送信リソースは、ＳＲ情報が存在しないときにＨＡＲＱ−ＡＣＫ情報を送信するための送信リソースと異なることを特徴とする請求項３に記載のアップリンク制御情報（ＵＣＩ)を送信するための方法。
【請求項５】
前記ＣＳＩは、第３のチャネルフォーマットまたは第４のチャネルフォーマットまたは第５のチャネルフォーマットで送信されるように構成されることを特徴とする請求項２から請求項４のいずれか一項に記載のアップリンク制御情報（ＵＣＩ)を送信するための方法。
【請求項６】
前記ＳＲ情報は肯定的な（ｐｏｓｉｔｉｖｅ） ＳＲ情報であることを特徴とする請求項２から請求項４のいずれか一項に記載のアップリンク制御情報（ＵＣＩ)を送信するための方法。
【請求項７】
前記第１のチャネルフォーマットはＰＵＣＣＨ ｆｏｒｍａｔ ０であり、および/または、前記第２のチャネルフォーマットはＰＵＣＣＨ ｆｏｒｍａｔ １であり、
および/または、
前記第３のチャネルフォーマットはＰＵＣＣＨ ｆｏｒｍａｔ ２であり、
および/または、前記第４のチャネルフォーマットはＰＵＣＣＨ ｆｏｒｍａｔ ３であり、
および/または、前記第５のチャネルフォーマットはＰＵＣＣＨ ｆｏｒｍａｔ ４であることを特徴とする請求項２から請求項５のいずれか一項に記載のアップリンク制御情報（ＵＣＩ)を送信するための方法。
【請求項８】
送信する必要がある第１のＵＣＩおよび第２のＵＣＩを決定し、前記第１のＵＣＩの送信時間領域リソースは前記第２のＵＣＩの送信時間領域リソースとオーバーラップするように構成された第１のユニットと、
前記第１のＵＣＩおよび第２のＵＣＩの開始送信タイミングの相対位置に従って、ＵＣＩを送信するように構成された第２のユニットとを備えることを特徴とするアップリンク制御情報ＵＣＩを送信するための装置。
【請求項９】
スキーム１からスキーム４のうちの１つが使用され、
スキーム１：
前記第１のＵＣＩは、ハイブリッド自動再送要求（ＨＡＲＱ−ＡＣＫ）フィードバック情報および/またはスケジューリング要求（ＳＲ）情報を含み、前記第２のＵＣＩは、周期チャネル状態情報ＣＳＩまたは半永続的ＣＳＩまたは非周期的ＣＳＩを含み、前記第１のＵＣＩは、第１のチャネルフォーマットまたは第２のチャネルフォーマットで送信されるように構成され、
スキーム２：
前記第１のＵＣＩは、ＨＡＲＱ−ＡＣＫ情報であり、
前記第２のＵＣＩは周期的ＣＳＩおよび/またはＳＲ情報を含み、または前記第２のＵＣＩは半永続的ＣＳＩおよび/またはＳＲ情報を含み、または前記第２のＵＣＩは非周期的ＣＳＩおよび/またはＳＲ情報を含み、
前記ＨＡＲＱ−ＡＣＫ情報は、第３のチャネルフォーマットまたは第４のチャネルフォーマットまたは第５のチャネルフォーマットで送信されるように構成され、
スキーム３：
前記第１のＵＣＩは、ＨＡＲＱ−ＡＣＫ情報であり、
前記第２のＵＣＩはＳＲ情報であり、
前記ＨＡＲＱ−ＡＣＫ情報は、第１のチャネルフォーマットまたは第２のチャネルフォーマットで送信されるように構成され、
前記ＳＲ情報は、第２のチャネルフォーマットで送信されるように構成され、
スキーム４：
前記第１のＵＣＩは、ＨＡＲＱ−ＡＣＫ情報であり、
前記第２のＵＣＩはＳＲ情報であり、
前記ＳＲ情報は、第１のチャネルフォーマットで送信されるように構成され、
前記ＨＡＲＱ−ＡＣＫ情報は、第１のチャネルフォーマットまたは第２のチャネルフォーマットで送信されるように構成されることを特徴とする請求項８に記載のアップリンク制御情報ＵＣＩを送信するための装置。
【請求項１０】
前記スキーム１の場合、前記第２のユニットは、
前記第１のＵＣＩの開始送信タイミングが前記第２のＵＣＩの開始送信タイミングよりも遅れている場合、
前記第２のＵＣＩを破棄し、または前記ＣＳＩの送信時間領域リソースと前記第１のＵＣＩの送信時間領域リソースの間のオーバーラップした時間領域リソースにおいて、前記ＣＳＩを破棄し、または前記ＣＳＩの送信時間領域リソースと前記第１のＵＣＩの送信時間領域リソースの間のオーバーラップした時間領域リソースから、前記ＣＳＩの送信時間領域リソースの終わりまで、前記ＣＳＩを破棄し、
前記第１のＵＣＩの送信リソース上で前記第１のＵＣＩを送信し、
および/または、
前記第１のＵＣＩの開始送信タイミングが前記ＣＳＩの開始送信タイミングよりも早いか等しい場合、前記第１のＵＣＩおよび前記ＣＳＩを同時に送信し、
前記スキーム２の場合、
前記第１のＵＣＩおよび第２のＵＣＩの開始送信タイミングの相対位置に従って、ＵＣＩを送信することは、
前記ＨＡＲＱ−ＡＣＫ情報の開始送信タイミングが前記第２のＵＣＩの開始送信タイミングよりも早い場合、
前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソース上で前記第２のＵＣＩを破棄し、または前記第２のＵＣＩの送信時間領域リソースと前記ＨＡＲＱ−ＡＣＫ情報の送信時間領域リソースとの間のオーバーラップした時間領域リソースから、前記第２のＵＣＩの送信時間領域リソースの終わりまで、前記第２のＵＣＩを破棄し、
前記ＨＡＲＱ−ＡＣＫ情報の送信リソース上で前記ＨＡＲＱ−ＡＣＫ情報を送信することを備え、
および/または、
前記スキーム２の場合、
前記第１のＵＣＩおよび第２のＵＣＩの開始送信タイミングの相対位置に従って、ＵＣＩを送信することは、
前記ＨＡＲＱ−ＡＣＫ情報の開始送信タイミングが前記第２のＵＣＩの開始送信タイミングより遅いか等しい場合、前記ＨＡＲＱ−ＡＣＫ情報と前記第２のＵＣＩを同時に送信することを備え、
および/または、
前記スキーム３の場合、
前記第１のＵＣＩおよび第２のＵＣＩの開始送信タイミングの相対位置に従がって、ＵＣＩを送信することは、
前記ＨＡＲＱ−ＡＣＫ情報の開始送信タイミングが前記ＳＲ情報の開始送信タイミングよりも遅い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信することを備え
および/または、
前記第１のＵＣＩおよび第２のＵＣＩの開始送信タイミングの相対位置に従がって、ＵＣＩを送信することは、
前記ＨＡＲＱ−ＡＣＫ情報の開始送信タイミングが前記ＳＲ情報の開始送信タイミングよりも早いか等しい場合、前記ＨＡＲＱ−ＡＣＫ情報と前記ＳＲ情報を同時に送信することを備え、
前記スキーム４の場合、
前記第１のＵＣＩおよび第２のＵＣＩの開始送信タイミングの相対位置に従って、ＵＣＩを送信することは、
前記ＨＡＲＱ−ＡＣＫ情報の開始送信タイミングが前記ＳＲ情報の開始送信タイミングよりも早い場合、
前記ＳＲ情報を廃棄し、または前記ＳＲ情報の送信時間領域リソースと前記ＨＡＲＱ−ＡＣＫ情報の送信時間領域リソースとの間のオーバーラップした時間領域リソース上で、前記ＳＲ情報を廃棄し、または前記ＳＲ情報の送信時間領域リソースと前記ＨＡＲＱ−ＡＣＫ情報の送信時間領域リソースとの間のオーバーラップした時間領域リソースから、前記ＳＲ情報の送信時間領域リソースの終わりまで、前記ＳＲ情報を廃棄し、
前記ＨＡＲＱ−ＡＣＫ情報の送信リソース上で前記ＨＡＲＱ−ＡＣＫ情報を送信することを備え
および/または、
前記第１のＵＣＩおよび第２のＵＣＩの開始送信タイミングの相対位置に従って、ＵＣＩを送信することは、
前記ＨＡＲＱ−ＡＣＫ情報の開始送信タイミングが前記ＳＲ情報の開始送信タイミングよりも遅いか等しい場合、前記ＨＡＲＱ−ＡＣＫ情報と前記ＳＲ情報を同時に送信することを備えることを特徴とする請求項９に記載のアップリンク制御情報ＵＣＩを送信するための装置。
【請求項１１】
前記第２のユニットは、
前記スキーム１の場合、
前記ＣＳＩの送信リソース上で、前記ＣＳＩ用に構成されたチャネルフォーマットで前記第１のＵＣＩおよび前記ＣＳＩを同時に送信し、
前記スキーム２の場合、
前記ＨＡＲＱ−ＡＣＫ情報の送信リソース上で、前記ＨＡＲＱ−ＡＣＫ情報の用に構成されたチャネルフォーマットで、前記ＨＡＲＱ−ＡＣＫ情報と前記第２のＵＣＩを同時に送信し、
前記スキーム３の場合、
前記ＳＲ情報の送信リソース上で、前記ＳＲ情報の用に構成されたチャネルフォーマットで、前記ＨＡＲＱ−ＡＣＫを送信し、
前記スキーム４の場合、
第１の送信リソース上で、前記ＨＡＲＱ−ＡＣＫ情報の用に構成されたチャネルフォーマットで、前記ＨＡＲＱ−ＡＣＫを送信し、
前記第１の送信リソースは、ＳＲ情報が存在するときにＨＡＲＱ−ＡＣＫを送信するように構成され、前記第１の送信リソースは、ＳＲ情報が存在しないときにＨＡＲＱ−ＡＣＫ情報を送信するための送信リソースと異なることを特徴とする請求項１０に記載のアップリンク制御情報ＵＣＩを送信するための装置。
【請求項１２】
前記ＣＳＩは、第３のチャネルフォーマットまたは第４のチャネルフォーマットまたは第５のチャネルフォーマットで送信されるように構成されることを特徴とする請求項９から請求項１１のいずれか一項に記載のアップリンク制御情報ＵＣＩを送信するための装置。
【請求項１３】
前記ＳＲ情報は肯定的な（ｐｏｓｉｔｉｖｅ） ＳＲ情報であることを特徴とする請求項９から請求項１１のいずれか一項に記載のアップリンク制御情報ＵＣＩを送信するための装置。
【請求項１４】
前記第１のチャネルフォーマットはＰＵＣＣＨ ｆｏｒｍａｔ ０であり、および/または、前記第２のチャネルフォーマットはＰＵＣＣＨ ｆｏｒｍａｔ １であり、
および/または、
前記第３のチャネルフォーマットはＰＵＣＣＨ ｆｏｒｍａｔ ２であり、
および/または、前記第４のチャネルフォーマットはＰＵＣＣＨ ｆｏｒｍａｔ ３であり、
および/または、前記第５のチャネルフォーマットはＰＵＣＣＨ ｆｏｒｍａｔ ４であることを特徴とする請求項９から請求項１２のいずれか一項に記載のアップリンク制御情報ＵＣＩを送信するための装置。 
【国際調査報告】
2021508987.tif 000008
2021508987.tif 000009
2021508987.tif 000010
2021508987.tif 000011